(57)【要約】【課題】無線通信品質を高めることができる。【解決手段】受信装置２０は、第１のアンテナ２５−１と第２のアンテナ２５−２とを含む複数のアンテナと受信部２０３と処理部２０４とを備える。受信部は、Ａｌａｍｏｕｔｉ符号化された一対の符号化信号を含む無線信号を上記複数のアンテナにより受信する。処理部は、相関を推定し、上記受信された無線信号である受信信号を、上記推定した相関に基づいて処理する。上記相関は、上記第１のアンテナにより受信される上記一対の符号化信号の一方に対する非希望波信号成分と、上記第２のアンテナにより受信される上記一対の符号化信号の他方に対する非希望波信号成分と、の相関である。【選択図】図１０
2015201804.tif 000002
【特許請求の範囲】
【請求項１】
第１のアンテナと第２のアンテナとを含む複数のアンテナと、
Ａｌａｍｏｕｔｉ符号化された一対の符号化信号を含む無線信号を前記複数のアンテナにより受信する受信部と、
前記第１のアンテナにより受信される前記一対の符号化信号の一方に対する非希望波信号成分と、前記第２のアンテナにより受信される前記一対の符号化信号の他方に対する非希望波信号成分と、の相関を推定し、前記受信された無線信号である受信信号を、前記推定した相関に基づいて処理する処理部と、
を備える受信装置。
【請求項２】
請求項１に記載の受信装置であって、
前記処理部は、既知の参照信号が送信される時間と異なる時間にて送信された前記一対の符号化信号に対する前記受信信号に基づいて前記相関を推定する、受信装置。
【請求項３】
請求項２に記載の受信装置であって、
前記処理部は、第１の無線エリアと、前記第１の無線エリアと異なる第２の無線エリアと、の両方において、Ａｌａｍｏｕｔｉ符号化された一対の符号化信号が割り当てられる無線リソースに対する前記受信信号に基づいて前記相関を推定する、受信装置。
【請求項４】
請求項１に記載の受信装置であって、
第１の無線エリアにおいて既知の参照信号に割り当てられた無線リソースに、前記第１の無線エリアと異なる第２の無線エリアにおいてＡｌａｍｏｕｔｉ符号化された一対の符号化信号が割り当てられ、
前記処理部は、前記第２の無線エリアにて前記一対の符号化信号に割り当てられた無線リソースに対する前記受信信号に基づいて前記相関を推定する、受信装置。
【請求項５】
請求項４に記載の受信装置であって、
前記無線リソースは、時間及び周波数の組み合わせが互いに異なる複数のリソースエレメントを含み、
前記第１の無線エリア及び前記第２の無線エリアのそれぞれにおいて、周波数が連続する６個のリソースエレメントのうちの、周波数が連続する２個のリソースエレメントに周波数軸にて隣接する２個のリソースエレメントのそれぞれに前記参照信号が割り当てられるとともに、前記６個のリソースエレメントのうちの、前記参照信号が割り当てられる２個のリソースエレメントと異なる４個のリソースエレメントに、周波数が高くなる順に、Ａｌａｍｏｕｔｉ符号化された第１の一対の符号化信号の一方、Ａｌａｍｏｕｔｉ符号化された第２の一対の符号化信号の一方、前記第１の一対の符号化信号の他方、及び、前記第２の一対の符号化信号の他方が割り当てられる、受信装置。
【請求項６】
請求項４又は請求項５に記載の受信装置であって、
前記処理部は、前記第１の無線エリアにおいて前記参照信号に割り当てられた無線リソースに対するチャネルを推定し、前記推定したチャネルと前記参照信号との積に基づく信号を、前記第１の無線エリアにおいて前記参照信号に割り当てられた無線リソースに対する前記受信信号から減じた信号に基づいて前記相関を推定する、受信装置。
【請求項７】
請求項１に記載の受信装置であって、
前記処理部は、前記一対の符号化信号が送信される第１の無線エリアと異なる第２の無線エリアにて送信される既知の参照信号に基づいて、前記第２の無線エリアにおける無線リソースに対するチャネルを推定し、前記推定したチャネルに基づいて前記相関を推定する、受信装置。
【請求項８】
請求項１乃至請求項７のいずれか一項に記載の受信装置であって、
前記処理部は、前記推定した相関に基づいて、前記受信信号、又は、前記受信信号における非希望波信号成分に対する共分散行列を推定し、前記推定した共分散行列に基づいて前記受信信号を処理する、受信装置。
【請求項９】
請求項８に記載の受信装置であって、
前記処理部は、前記推定した前記共分散行列に基づいて、前記受信信号を復調するための受信ウェイトを算出し、前記算出した受信ウェイトと、前記受信信号における非希望波信号成分に対する、前記相関が０である共分散行列と、に基づいて、前記受信信号の復調後の信号における非希望波信号成分の電力を推定する、受信装置。
【請求項１０】
請求項１乃至請求項９のいずれか一項に記載の受信装置であって、
前記処理部は、既知の参照信号に割り当てられた無線リソースに対するチャネルを推定し、前記推定したチャネルと前記参照信号との積に基づく信号を、前記参照信号に対する前記受信信号から減じた信号に基づいて、前記第１のアンテナにより受信される前記一対の符号化信号の一方に対する非希望波信号成分の分散と、前記第２のアンテナにより受信される前記一対の符号化信号の一方に対する非希望波信号成分の分散と、を推定する、受信装置。
【請求項１１】
請求項１乃至請求項１０のいずれか一項に記載の受信装置であって、
前記処理部は、前記推定した相関を有する前記共分散行列に基づいて受信ウェイトを算出し、前記算出した受信ウェイトに基づいて前記受信信号を復調する、受信装置。
【請求項１２】
第１のアンテナと第２のアンテナとを含む複数のアンテナにより、Ａｌａｍｏｕｔｉ符号化された一対の符号化信号を含む無線信号を受信し、
前記第１のアンテナにより受信される前記一対の符号化信号の一方に対する非希望波信号成分と、前記第２のアンテナにより受信される前記一対の符号化信号の他方に対する非希望波信号成分と、の相関を推定し、前記受信された無線信号である受信信号を、前記推定した相関に基づいて処理する、受信方法。
【請求項１３】
請求項１２に記載の受信方法であって、
既知の参照信号が送信される時間と異なる時間にて送信された前記一対の符号化信号に対する前記受信信号に基づいて前記相関を推定する、受信方法。
【請求項１４】
請求項１２に記載の受信方法であって、
第１の無線エリアにおいて既知の参照信号に割り当てられた無線リソースに、前記第１の無線エリアと異なる第２の無線エリアにおいてＡｌａｍｏｕｔｉ符号化された一対の符号化信号が割り当てられる場合において、
前記第２の無線エリアにて前記一対の符号化信号に割り当てられた無線リソースに対する前記受信信号に基づいて前記相関を推定する、受信方法。
【請求項１５】
請求項１２に記載の受信方法であって、
前記一対の符号化信号が送信される第１の無線エリアと異なる第２の無線エリアにて送信される既知の参照信号に基づいて、前記第２の無線エリアにおける無線リソースに対するチャネルを推定し、前記推定したチャネルに基づいて前記相関を推定する、受信方法。
【請求項１６】
第１のアンテナと第２のアンテナとを含む複数のアンテナと、
第１の無線エリアと異なる第２の無線エリアにおいてＡｌａｍｏｕｔｉ符号化された一対の符号化信号が割り当てられた無線リソースにて、前記第１の無線エリアにおいて既知の参照信号を前記複数のアンテナにより送信する送信部と、
を備える送信装置。
【請求項１７】
請求項１６に記載の送信装置であって、
前記無線リソースは、時間及び周波数の組み合わせが互いに異なる複数のリソースエレメントを含み、
前記第１の無線エリア及び前記第２の無線エリアのそれぞれにおいて、周波数が連続する６個のリソースエレメントのうちの、周波数が連続する２個のリソースエレメントに周波数軸にて隣接する２個のリソースエレメントのそれぞれに前記参照信号が割り当てられるとともに、前記６個のリソースエレメントのうちの、前記参照信号が割り当てられる２個のリソースエレメントと異なる４個のリソースエレメントに、周波数が高くなる順に、Ａｌａｍｏｕｔｉ符号化された第１の一対の符号化信号の一方、Ａｌａｍｏｕｔｉ符号化された第２の一対の符号化信号の一方、前記第１の一対の符号化信号の他方、及び、前記第２の一対の符号化信号の他方が割り当てられる、送信装置。
【請求項１８】
第１の無線エリアと異なる第２の無線エリアにおいてＡｌａｍｏｕｔｉ符号化された一対の符号化信号が割り当てられた無線リソースにて、前記第１の無線エリアにおいて既知の参照信号を、第１のアンテナと第２のアンテナとを含む複数のアンテナにより送信する、送信方法。
【請求項１９】
請求項１８に記載の送信方法であって、
前記無線リソースは、時間及び周波数の組み合わせが互いに異なる複数のリソースエレメントを含み、
前記第１の無線エリア及び前記第２の無線エリアのそれぞれにおいて、周波数が連続する６個のリソースエレメントのうちの、周波数が連続する２個のリソースエレメントに周波数軸にて隣接する２個のリソースエレメントのそれぞれに前記参照信号が割り当てられるとともに、前記６個のリソースエレメントのうちの、前記参照信号が割り当てられる２個のリソースエレメントと異なる４個のリソースエレメントに、周波数が高くなる順に、Ａｌａｍｏｕｔｉ符号化された第１の一対の符号化信号の一方、Ａｌａｍｏｕｔｉ符号化された第２の一対の符号化信号の一方、前記第１の一対の符号化信号の他方、及び、前記第２の一対の符号化信号の他方が割り当てられる、送信方法。
【請求項２０】
送信装置と、受信装置と、を備える無線通信システムであって、
前記送信装置は、
Ａｌａｍｏｕｔｉ符号化された一対の符号化信号を含む無線信号を送信する送信部を備え、
前記受信装置は、
第１のアンテナと第２のアンテナとを含む複数のアンテナと、
前記無線信号を前記複数のアンテナにより受信する受信部と、
前記第１のアンテナにより受信される前記一対の符号化信号の一方に対する非希望波信号成分と、前記第２のアンテナにより受信される前記一対の符号化信号の他方に対する非希望波信号成分と、の相関を推定し、前記受信された無線信号である受信信号を、前記推定した相関に基づいて処理する処理部と、
を備える、無線通信システム。
【発明の詳細な説明】
【技術分野】
【０００１】
本発明は、受信装置、受信方法、送信装置、送信方法、及び、無線通信システムに関する。
【背景技術】
【０００２】
基地局と移動局とを備える無線通信システムが知られている。移動局は、基地局から無線信号を受信する受信装置を備える。また、基地局は、移動局から無線信号を受信する受信装置を備える。移動局は、基地局が形成する無線エリアにおいて、その基地局との間で無線通信を行なう。
【０００３】
ある無線エリアにおいて、移動局が基地局と無線通信を行なう場合、他の無線エリアにて送信された無線信号は、干渉波として移動局及び基地局により受信される。干渉波は、移動局及び基地局における、受信信号の復調後の信号の品質である受信品質を低下させる。特に、無線エリアの端部（例えば、他の無線エリアとの間の境界の近傍）に位置する移動局における受信品質は、干渉波が大きくなりやすいため、低下しやすい。
【０００４】
そこで、干渉波及び雑音を含む干渉雑音による受信品質の低下を抑制する処理を行なうＩＲＣ（Ｉｎｔｅｒｆｅｒｅｎｃｅ  Ｒｅｊｅｃｔｉｏｎ  Ｃｏｍｂｉｎｉｎｇ）受信装置が検討されている（例えば、特許文献１、非特許文献１及び２を参照）。この処理は、ＩＲＣ処理と呼ばれる。ＩＲＣ受信装置は、干渉雑音の統計的な性質を利用することにより受信ウェイトを決定し、決定した受信ウェイトに基づいて受信信号を復調する。これにより、受信信号に含まれる干渉雑音による受信品質の低下を抑制することができる。
【０００５】
また、Ａｌａｍｏｕｔｉ符号化された一対の符号化信号を含む無線信号を送信する無線通信システムが知られている（例えば、特許文献１、非特許文献１及び２を参照）。この無線通信システムは、空間周波数ブロック符号化（ＳＦＢＣ）された一対の符号化信号を含む無線信号を送信する。ＳＦＢＣは、Ｓｐａｃｅ  Ｆｒｅｑｕｅｎｃｙ  Ｂｌｏｃｋ  Ｃｏｄｉｎｇの略記である。
【先行技術文献】
【特許文献】
【０００６】
【特許文献１】特表２０１０−５２７２０９号公報
【非特許文献】
【０００７】
【非特許文献１】ＮＴＴ  ＤＯＣＯＭＯ、「Ｐｅｒｆｏｒｍａｎｃｅ  ｏｆ  Ｉｎｔｅｒｆｅｒｅｎｃｅ  Ｒｅｊｅｃｔｉｏｎ  Ｃｏｍｂｉｎｉｎｇ  Ｒｅｃｅｉｖｅｒ  ｆｏｒ  ＬＴＥ」、３ＧＰＰ、Ｒ４−１１３５２８、２０１１年６月
【非特許文献２】ＮＴＴ  ＤＯＣＯＭＯ、「Ｔｅｓｔ  ｃｏｖｅｒａｇｅ  ｆｏｒ  ＭＭＳＥ−ＩＲＣ  ｒｅｃｅｉｖｅｒ  ｒｅｑｕｉｒｅｍｅｎｔｓ」、３ＧＰＰ、Ｒ４−１２１５５２、２０１２年３月
【発明の概要】
【発明が解決しようとする課題】
【０００８】
先ず、ＩＲＣ処理の概要について説明する。ここでは、移動局におけるＩＲＣ処理について説明する。ＯＦＤＭにおけるｋ番目のサブキャリアの、ｌ番目のシンボル時間のリソースエレメント（ＲＥ；Ｒｅｓｏｕｒｃｅ  Ｅｌｅｍｅｎｔ）における受信信号は、数式１により表される。ＯＦＤＭは、Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇの略記である。ｌ番目のシンボル時間は、時間軸に沿ってｌ番目のＯＦＤＭシンボルに対応する時間である。
【数１】
2015201804.tif 000003
【０００９】
ここで、ｙ（ｋ，ｌ）は、受信信号を表し、Ｎｒ×１のベクトルである。Ｎｒは、移動局が用いる受信アンテナの数を表す。Ｈ（ｋ，ｌ）は、サービングセルにおける基地局と移動局との間のチャネルを表し、Ｎｒ×Ｎｔの行列である。サービングセルは、移動局が位置する無線エリアである。Ｎｔは、サービングセルにおいて基地局が用いる送信アンテナの数を表す。
【００１０】
Ｖ（ｋ，ｌ）は、サービングセルにおけるＮｔ×Ｎｓｔｒｅａｍの送信プリコーディング行列を表す。Ｎｓｔｒｅａｍは、希望信号に含まれるストリームの数を表す。希望信号は、サービングセルにおいて基地局が移動局へ送信する無線信号である。希望信号は、送信信号とも呼ばれる。ｘ（ｋ，ｌ）は、希望信号を表し、Ｎｓｔｒｅａｍ×１のベクトルである。
【００１１】
Ｎｃｅｌｌは、干渉セルの数を表す。干渉セルは、サービングセルと異なる無線エリアである。Ｈｉ（ｋ，ｌ）は、ｉ番目の干渉セルにおける基地局と移動局との間のチャネルを表し、Ｎｒ×Ｎｔ，ｉの行列である。Ｎｔ，ｉは、ｉ番目の干渉セルにおいて基地局が用いる送信アンテナの数を表す。Ｖｉ（ｋ，ｌ）は、ｉ番目の干渉セルにおけるＮｔ，ｉ×Ｎｓｔｒｅａｍ，ｉの送信プリコーディング行列を表す。Ｎｓｔｒｅａｍ，ｉは、ｉ番目の干渉セルにおいて送信される無線信号に含まれるストリームの数を表す。
【００１２】
ｘｉ（ｋ，ｌ）は、ｉ番目の干渉セルにおいて送信される無線信号を表し、Ｎｓｔｒｅａｍ，ｉ×１のベクトルである。ｎ（ｋ，ｌ）は、ＡＷＧＮを表し、Ｎｒ×１のベクトルである。ＡＷＧＮは、Ａｄｄｉｔｉｖｅ  Ｗｈｉｔｅ  Ｇａｕｓｓｉａｎ  Ｎｏｉｓｅの略記である。
【００１３】
受信信号を復調するための受信ウェイトＷＩＲＣ（ｋ，ｌ）は、受信信号の復調後の信号と、希望信号と、の二乗誤差の平均値を最小にする方法に従った数式２により表される。この方法は、ＭＭＳＥ（Ｍｉｎｉｍｕｍ  Ｍｅａｎ  Ｓｑｕａｒｅｄ  Ｅｒｒｏｒ）規範とも呼ばれる。
【数２】
2015201804.tif 000004
【００１４】
ここで、Ｅ［Ａ］は、Ａの平均値を表す。また、Ｔｒ（Ａ）は、行列Ａのトレースを表す。従って、数式２から数式３が導出される。
【数３】
2015201804.tif 000005
【００１５】
ここで、Ｅ［ｙ（ｋ，ｌ）ｙＨ（ｋ，ｌ）］は、受信信号に対する共分散行列Ｒｙｙである。共分散行列Ｒｙｙは、特許文献１、非特許文献１及び２に開示された２つの方法により推定され得る。
第１の推定方法は、数式４に示されるように、受信信号ｙ（ｋ，ｌ）と、そのエルミート共役ｙＨ（ｋ，ｌ）と、の積の平均値を算出する方法である。
【数４】
2015201804.tif 000006
【００１６】
第２の推定方法は、参照信号（ＲＳ；Ｒｅｆｅｒｅｎｃｅ  Ｓｉｇｎａｌ）を用いる方法である。移動局は、同期検波を行なうために、サービングセルにおいて送信される既知の参照信号を用いることにより、サービングセルにおける基地局と移動局との間のチャネルの推定を行なう。受信信号のうちの、サービングセルにおける参照信号に起因する成分の推定値は、チャネル行列の推定値Ｈｅ（ｋ，ｌ）と参照信号ｘＲＳ（ｋ，ｌ）との積に基づく数式５により表される。受信信号のうちの、サービングセルにおける参照信号に起因する成分の推定値は、レプリカ信号とも呼ばれる。
【数５】
2015201804.tif 000007
【００１７】
受信信号における干渉雑音ｙａ（ｋ，ｌ）は、受信信号ｙ（ｋ，ｌ）からレプリカ信号を減算することにより、数式６により表される。
【数６】
2015201804.tif 000008
【００１８】
数式６から、受信信号における干渉雑音に対する共分散行列Ｒｅ，Ｉ＋Ｎは、数式７により表される。
【数７】
2015201804.tif 000009
【００１９】
数式７から、受信信号に対する共分散行列Ｒｅ，ｙｙは、数式８により表される。
【数８】
2015201804.tif 000010
【００２０】
また、例えば、３ＧＰＰにより規定されたＬＴＥにおいては、空間周波数ブロック符号化（ＳＦＢＣ）された一対の符号化信号を含む無線信号が送信される。３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略記である。ＬＴＥは、Ｌｏｎｇ  Ｔｅｒｍ  Ｅｖｏｌｕｔｉｏｎの略記である。
【００２１】
図１に示すように、空間周波数ブロック符号化された一対の符号化信号は、複数の送信アンテナから、周波数軸にて隣接する２つのサブキャリアのＲＥを用いて送信される。一対の符号化信号は、ＳＦＢＣペアとも呼ばれる。
【００２２】
ｍ番目のＳＦＢＣペアの一方の符号化信号は、図１に示すように、２ｍ番目のサブキャリアのＲＥを用いて送信される。ｍは、０以上の整数を表す。ｍ番目のＳＦＢＣペアの一方の符号化信号は、第１の送信アンテナ＃０から送信される第１の送信シンボルｘ０と、第２の送信アンテナ＃１から送信される第２の送信シンボル−ｘ１＊と、を含む。ここで、Ｘ＊は、Ｘの複素共役を表す。
【００２３】
ｍ番目のＳＦＢＣペアの他方の符号化信号は、図１に示すように、２ｍ＋１番目のサブキャリアのＲＥを用いて送信される。ｍ番目のＳＦＢＣペアの他方の符号化信号は、第１の送信アンテナ＃０から送信される第３の送信シンボルｘ１と、第２の送信アンテナ＃１から送信される第４の送信シンボルｘ０＊と、を含む。
空間周波数ブロック符号化を用いることにより、送信ダイバーシティによって無線通信品質を高めることができる。
【００２４】
特許文献１、非特許文献１及び２においては、希望信号に対して空間周波数ブロック符号化が行なわれている場合におけるＩＲＣ処理が開示されている。上述したように、ｍ番目のＳＦＢＣペアは、２ｍ番目及び２ｍ＋１番目のサブキャリアのＲＥを用いて送信される。
【００２５】
受信装置が２個の受信アンテナにより無線信号を受信する場合、２ｍ番目及び２ｍ＋１番目のサブキャリアのＲＥに対する受信信号は、仮想的に、２×４のＭＩＭＯチャネルを介して受信された信号であると解釈され得る。ＭＩＭＯは、Ｍｕｌｔｉｐｌｅ−Ｉｎｐｕｔ  Ａｎｄ  Ｍｕｌｔｉｐｌｅ−Ｏｕｔｐｕｔの略記である。従って、干渉セルの数が１であり、且つ、干渉セルにおいて送信される無線信号に対して空間周波数ブロック符号化が行なわれている場合を想定すると、受信信号は、数式９により表される。
【数９】
2015201804.tif 000011
【００２６】
ここで、ｙｉ（ｊ）は、ｉ番目の受信アンテナにより受信された、ｊ番目のサブキャリアのＲＥに対する受信信号を表す。ｉは、０又は１を表す。ｊは、０以上の整数を表す。
数式９のうちの数式１０により表される行列は、サービングセルにおける基地局と移動局との間の仮想的なＭＩＭＯチャネルを表す。数式９のうちの数式１１により表される行列は、干渉セルにおける基地局と移動局との間の仮想的なＭＩＭＯチャネルを表す。
【数１０】
2015201804.tif 000012
【数１１】
2015201804.tif 000013
【００２７】
また、数式９のうちの数式１２により表されるベクトルは、サービングセルにおいて基地局から移動局へ送信される希望信号を表す。数式９のうちの数式１３により表されるベクトルは、干渉セルにおいて基地局から送信される無線信号を表す。数式９のうちの数式１４により表されるベクトルは、雑音を表す。
【数１２】
2015201804.tif 000014
【数１３】
2015201804.tif 000015
【数１４】
2015201804.tif 000016
【００２８】
ここで、数式１５乃至数式２１を用いることにより、数式９は、数式２２のように表される。
【数１５】
2015201804.tif 000017
【数１６】
2015201804.tif 000018
【数１７】
2015201804.tif 000019
【数１８】
2015201804.tif 000020
【数１９】
2015201804.tif 000021
【数２０】
2015201804.tif 000022
【数２１】
2015201804.tif 000023
【数２２】
2015201804.tif 000024
【００２９】
数式２２から、干渉雑音ｙａは、数式２３により表される。
【数２３】
2015201804.tif 000025
【００３０】
数式２３と、数式２４乃至数式２８と、を用いることにより、干渉雑音に対する共分散行列ＲＩ＋Ｎ，ｉｄｅａｌ（ＳＦＢＣ）は、数式２９により表される。
【数２４】
2015201804.tif 000026
【数２５】
2015201804.tif 000027
【数２６】
2015201804.tif 000028
【数２７】
2015201804.tif 000029
【数２８】
2015201804.tif 000030
【数２９】
2015201804.tif 000031
【００３１】
数式２５及び数式２６により表される部分行列は、対角ブロック行列とも呼ばれる。数式２７及び数式２８により表される部分行列は、非対角ブロック行列とも呼ばれる。
非対角ブロック行列の非対角成分は、サブキャリアが相違するとともに受信アンテナが相違する干渉雑音間の共分散を表す。
【００３２】
図２に示すように、参照信号は、サービングセル及び干渉セルのそれぞれにおいて、周波数軸に沿って２個のＲＥの間隔にて割り当てられる。図２のＲＳ＃ｉは、ｉ番目の送信アンテナにより送信される参照信号を表す。ｉは、０又は１を表す。図２のＤｊ＃ｉは、ｊ番目のＳＦＢＣペアのｉ番目の符号化信号を表す。ｊは、０以上の整数を表す。更に、図２に示すように、参照信号は、複数の無線エリア間で異なるサブキャリアのＲＥに割り当てられる。
【００３３】
また、図２に示すように、周波数が連続する６個のＲＥのうちの、参照信号が割り当てられる２個のＲＥと異なる４個のＲＥには、ｊ番目及びｊ＋１番目のＳＦＢＣペアが割り当てられる。この４個のＲＥには、周波数が高くなる順に、ｊ番目のＳＦＢＣペアの０番目の符号化信号、ｊ番目のＳＦＢＣペアの１番目の符号化信号、ｊ＋１番目のＳＦＢＣペアの０番目の符号化信号、及び、ｊ＋１番目のＳＦＢＣペアの１番目の符号化信号が割り当てられる。
【００３４】
従って、図２の例においては、サービングセルにおいて参照信号が割り当てられるＲＥには、干渉セルにおいて０番目の符号化信号が割り当てられる。換言すると、干渉セルにおいてＳＦＢＣペアに割り当てられるＲＥに、サービングセルにおいて、符号化信号と、参照信号と、がそれぞれ割り当てられる。このため、干渉セルにおいてＳＦＢＣペアに割り当てられるＲＥに対する受信信号に基づいて、上記共分散を十分に高い精度にて推定することは困難である。例えば、受信信号からレプリカ信号を減算する方法を用いて、上記共分散を十分に高い精度にて推定することは困難である。
【００３５】
このため、特許文献１、非特許文献１及び２に記載のＩＲＣ処理は、非対角ブロック行列の非対角成分を０に設定することにより、数式３０に示されるように、干渉雑音に対する共分散行列の推定値Ｒｅ，Ｉ＋Ｎ（ＳＦＢＣ）を推定する。更に、このＩＲＣ処理は、推定した共分散行列の推定値Ｒｅ，Ｉ＋Ｎ（ＳＦＢＣ）に基づいて受信信号を処理する。
【数３０】
2015201804.tif 000032
【００３６】
しかしながら、特許文献１、非特許文献１及び２に記載のＩＲＣ処理においては、受信信号の処理に、実際の通信の状態が反映されにくい。その結果、無線通信品質が低下しやすい。
【００３７】
一つの側面では、本発明の目的の一つは、無線通信品質を高めることにある。
【課題を解決するための手段】
【００３８】
一つの側面では、受信装置は、第１のアンテナと第２のアンテナとを含む複数のアンテナと、受信部と、処理部と、を備える。受信部は、Ａｌａｍｏｕｔｉ符号化された一対の符号化信号を含む無線信号を上記複数のアンテナにより受信する。処理部は、相関を推定し、上記受信された無線信号である受信信号を、上記推定した相関に基づいて処理する。上記相関は、上記第１のアンテナにより受信される上記一対の符号化信号の一方に対する干渉雑音と、上記第２のアンテナにより受信される上記一対の符号化信号の他方に対する干渉雑音と、の相関である。
【発明の効果】
【００３９】
一つの側面として、無線通信品質を高めることができる。
【図面の簡単な説明】
【００４０】
【図１】空間周波数ブロック符号化された一対の符号化信号の一例を示した説明図である。
【図２】参照信号及び符号化信号に対する無線リソースの割り当ての一例を示した説明図である。
【図３】第１実施形態に係る無線通信システムの構成例を表すブロック図である。
【図４】図３の基地局の構成例を表すブロック図である。
【図５】図３の移動局の構成例を表すブロック図である。
【図６】図３の基地局の機能例を表すブロック図である。
【図７】ＬＴＥ方式に従ったダウンリンクにおける無線リソースの割り当ての一例を示した説明図である。
【図８】参照信号及び符号化信号に対する無線リソースの割り当ての一例を示した説明図である。
【図９】参照信号及び符号化信号に対する無線リソースの割り当ての一例を示した説明図である。
【図１０】図３の移動局の機能例を表すブロック図である。
【図１１】図１０の復調部の機能例を表すブロック図である。
【図１２】図３の移動局が実行する処理の一例を示したフローチャートである。
【図１３】第２実施形態に係る移動局が有する復調部の機能例を表すブロック図である。
【図１４】第３実施形態に係る移動局が有する復調部の機能例を表すブロック図である。
【図１５】第４実施形態に係る移動局が有する復調部の機能例を表すブロック図である。
【図１６】符号化信号に割り当てられる無線リソースのパターンの一例を示した説明図である。
【図１７】符号化信号に割り当てられる無線リソースのパターンの一例を示した説明図である。
【図１８】第５実施形態に係る無線通信システムにおいて、符号化信号に割り当てられる無線リソースのパターンの一例を示した説明図である。
【図１９】第５実施形態に係る無線通信システムにおいて、符号化信号に割り当てられる無線リソースのパターンの一例を示した説明図である。
【図２０】第５実施形態に係る無線通信システムにおいて、サービングセル及び干渉セルのそれぞれにて符号化信号に割り当てられる無線リソースのパターンの一例を示した説明図である。
【図２１】第５実施形態に係る無線通信システムにおいて、サービングセル及び干渉セルのそれぞれにて符号化信号に割り当てられる無線リソースのパターンの一例を示した説明図である。
【図２２】第５実施形態に係る移動局が有する復調部の機能例を表すブロック図である。
【図２３】第６実施形態に係る移動局が有する復調部の機能例を表すブロック図である。
【発明を実施するための形態】
【００４１】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００４２】
＜第１実施形態＞
（構成）
図３に示すように、第１実施形態に係る無線通信システム１は、Ｌ個の基地局１０−１，…，１０−Ｌと、Ｍ個の移動局２０−１，…，２０−Ｍと、を備える。Ｌ、及び、Ｍのそれぞれは、１以上の整数を表す。図３は、Ｌが２であり、Ｍが２である例を示す。
【００４３】
以下において、基地局１０−ｉは、区別する必要がない場合、基地局１０とも表される。ここで、ｉは、１からＬまでの整数を表す。同様に、移動局２０−ｊは、区別する必要がない場合、移動局２０とも表される。ここで、ｊは、１からＭまでの整数を表す。
基地局１０は、送信装置の一例である。移動局２０は、受信装置の一例である。
【００４４】
無線通信システム１は、基地局１０と、移動局２０と、の間で、予め定められた無線通信方式に従った無線通信を行なう。例えば、無線通信方式は、ＬＴＥ方式である。ＬＴＥは、Ｌｏｎｇ  Ｔｅｒｍ  Ｅｖｏｌｕｔｉｏｎの略記である。なお、無線通信方式は、ＬＴＥ方式と異なる方式（例えば、ＬＴＥ−Ａｄｖａｎｃｅｄ、又は、ＷｉＭＡＸ等の方式）であってもよい。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。
【００４５】
本例では、基地局１０−ｉは、無線エリアＷＡ−ｉを形成する。無線エリアＷＡ−ｉは、区別する必要がない場合、無線エリアＷＡとも表される。なお、各基地局１０は、複数の無線エリアを形成してもよい。無線エリアＷＡは、カバレッジ・エリア、又は、通信領域と表されてもよい。例えば、無線エリアＷＡは、マクロセル、マイクロセル、ナノセル、ピコセル、フェムトセル、ホームセル、又は、セクタセル等のセルである。各基地局１０は、自局１０が形成する無線エリアＷＡ内に位置する移動局２０と無線通信を行なう。
【００４６】
具体的には、各基地局１０は、自局１０が形成する無線エリアＷＡにおいて無線リソースを提供する。本例では、無線リソースは、時間及び周波数により識別される。各基地局１０は、自局１０が形成する無線エリアＷＡ内に位置する移動局２０と、当該無線エリアＷＡにおいて提供している無線リソースを用いることにより通信を行なう。なお、各基地局１０は、アクセスポイント、ｅＮＢ（Ｅｖｏｌｖｅｄ  Ｎｏｄｅ  Ｂ）、ＮＢ（Ｎｏｄｅ  Ｂ）、フェムト基地局、マクロ基地局、又は、ホーム基地局であってもよい。
【００４７】
本例では、移動局２０−１は、基地局１０−１が形成する無線エリアＷＡ−１内に位置している。移動局２０−２は、基地局１０−２が形成する無線エリアＷＡ−２内に位置している。無線エリアＷＡ−１は、第１の無線エリアの一例である。無線エリアＷＡ−２は、第２の無線エリアの一例である。
【００４８】
また、本例では、各基地局１０は、通信回線を介して有線通信可能に通信網（例えば、コアネットワーク）ＮＷに接続されている。なお、各基地局１０は、無線通信可能に通信網ＮＷに接続されていてもよい。基地局１０と通信網ＮＷとの間のインタフェースは、Ｓ１インタフェースと呼ばれてもよい。また、基地局１０間のインタフェースは、Ｘ２インタフェースと呼ばれてもよい。
【００４９】
また、基地局１０、及び、無線通信システム１のうちの基地局１０よりも通信網ＮＷ（即ち、上位）側の部分は、Ｅ−ＵＴＲＡＮと呼ばれてもよい。Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００５０】
移動局２０は、自局２０が位置する無線エリアＷＡにおいて提供されている無線リソースを用いて、当該無線エリアＷＡを形成する基地局１０と無線通信を行なう。なお、移動局２０は、無線端末、端末装置、又は、ユーザ端末（ＵＥ；Ｕｓｅｒ  Ｅｑｕｉｐｍｅｎｔ）と呼ばれてもよい。
【００５１】
本例では、移動局２０を収容する無線エリアＷＡは、サービングセルとも呼ばれる。例えば、無線エリアＷＡにて移動局２０が収容されることは、移動局２０が当該無線エリアＷＡにて提供される無線リソースを用いて、当該無線エリアＷＡを形成する基地局１０とデータを送受信可能に、当該基地局１０と接続されていることである。
また、本例では、移動局２０を収容する無線エリアＷＡと異なる無線エリアＷＡは、干渉セルとも呼ばれる。
【００５２】
（構成：基地局）
図４に示すように、基地局１０−ｉは、例示的に、プロセッサ１１と、記憶装置１２と、ＮＩＦ回路１３と、ＬＳＩ１４と、無線処理回路１５と、Ｐ個のアンテナ１６−１，…，１６−Ｐと、を備える。本例では、Ｐは、２以上の整数を表す。ＮＩＦは、Ｎｅｔｗｏｒｋ  Ｉｎｔｅｒｆａｃｅの略記である。ＬＳＩは、Ｌａｒｇｅ  Ｓｃａｌｅ  Ｉｎｔｅｇｒａｔｉｏｎの略記である。
【００５３】
プロセッサ１１は、記憶装置１２に記憶されているプログラムを実行することにより、基地局１０−ｉの動作を制御する。
ＮＩＦ回路１３は、移動局２０へ送信するデータを通信網ＮＷから受信する。更に、ＮＩＦ回路１３は、移動局２０から受信したデータを通信網ＮＷへ送信する。加えて、ＮＩＦ回路１３は、制御情報を通信網ＮＷと送受信する。例えば、制御情報は、自局１０が形成する無線エリアＷＡと異なる無線エリアＷＡを形成する他の基地局１０を識別する情報を含んでよい。
【００５４】
ＬＳＩ１４は、無線通信を行なうためにデジタル信号を処理する。なお、ＬＳＩ１４は、プログラム可能な論理回路装置（例えば、ＰＬＤ、又は、ＦＰＧＡ）であってもよい。ＰＬＤは、Ｐｒｏｇｒａｍｍａｂｌｅ  Ｌｏｇｉｃ  Ｄｅｖｉｃｅの略記である。ＦＰＧＡは、Ｆｉｅｌｄ−Ｐｒｏｇｒａｍｍａｂｌｅ  Ｇａｔｅ  Ａｒｒａｙの略記である。
無線処理回路１５は、アンテナ１６−１，…，１６−Ｐを介した無線通信を行なう。
ＬＳＩ１４及び無線処理回路１５の機能の詳細については後述する。
【００５５】
（構成：移動局）
図５に示すように、移動局２０−ｊは、例示的に、プロセッサ２１と、記憶装置２２と、ＬＳＩ２３と、無線処理回路２４と、Ｑ個のアンテナ２５−１，…，２５−Ｑと、を備える。本例では、Ｑは、２以上の整数を表す。
【００５６】
プロセッサ２１は、記憶装置２２に記憶されているプログラムを実行することにより、移動局２０−ｊの動作を制御する。
ＬＳＩ２３は、無線通信を行なうためにデジタル信号を処理する。なお、ＬＳＩ２３は、プログラム可能な論理回路装置（例えば、ＰＬＤ、又は、ＦＰＧＡ）であってもよい。
無線処理回路２４は、アンテナ２５−１，…，２５−Ｑを介した無線通信を行なう。
ＬＳＩ２３及び無線処理回路２４の機能の詳細については後述する。
【００５７】
（機能：基地局）
図６に示すように、基地局１０−ｉのＬＳＩ１４及び無線処理回路１５の機能は、例示的に、無線処理部１０１と、アップリンク受信部１０２と、ダウンリンク送信部１０３と、無線処理部１０４と、を含む。ダウンリンク送信部１０３及び無線処理部１０４は、送信部の一例である。
【００５８】
本例では、無線処理部１０１は、１つのアンテナ１６−３を介して無線信号を受信する。なお、無線処理部１０１は、複数のアンテナ１６−１，…，１６−Ｐを介して無線信号を受信してもよい。
無線処理部１０１は、アンテナ１６−３を介して受信した無線信号に対して、無線周波数帯域から基底帯域への周波数変換（ここでは、ダウンコンバージョン）を行なう。無線処理部１０１は、周波数変換後の信号に対して、Ａ／Ｄ変換を行なう。Ａ／Ｄは、Ａｎａｌｏｇ  ｔｏ  Ｄｉｇｉｔａｌの略記である。
【００５９】
アップリンク受信部１０２は、無線処理部１０１により出力された信号を処理する。この処理は、例えば、復調、及び、誤り訂正復号を含む。
このようにして、無線処理部１０１及びアップリンク受信部１０２は、移動局２０により送信されたアップリンク信号を受信する。
【００６０】
ダウンリンク送信部１０３は、例示的に、データ生成部１１１と、誤り訂正符号化部１１２と、変調部１１３と、ＳＦＢＣ部１１４と、ＣＲＳ生成部１１５と、チャネル多重部１１６と、ＩＦＦＴ部１１７と、ＣＰ付加部１１８と、を含む。ＣＲＳは、Ｃｅｌｌ−Ｓｐｅｃｉｆｉｃ  Ｒｅｆｅｒｅｎｃｅ  Ｓｉｇｎａｌの略記である。ＩＦＦＴは、Ｉｎｖｅｒｓｅ  Ｆａｓｔ  Ｆｏｕｒｉｅｒ  Ｔｒａｎｓｆｏｒｍの略記である。ＣＰは、Ｃｙｃｌｉｃ  Ｐｒｅｆｉｘの略記である。
【００６１】
データ生成部１１１は、移動局２０を宛先とするデータを生成する。
誤り訂正符号化部１１２は、データ生成部１１１により生成されたデータに対して誤り訂正符号化を行なう。例えば、誤り訂正符号は、ターボ符号である。なお、誤り訂正符号は、リード・ソロモン符号、又は、畳み込み符号等であってもよい。
【００６２】
変調部１１３は、誤り訂正符号化部１１２による符号化後のデータに対して変調を行なう。例えば、変調は、ＱＰＳＫ、１６ＱＡＭ、又は、６４ＱＡＭ等の多値変調方式を含む変調方式に従ってよい。ＱＰＳＫは、Ｑｕａｄｒｉｐｈａｓｅ  Ｐｈａｓｅ−Ｓｈｉｆｔ  Ｋｅｙｉｎｇの略記である。ＱＡＭは、Ｑｕａｄｒａｔｕｒｅ  Ａｍｐｌｉｔｕｄｅ  Ｍｏｄｕｌａｔｉｏｎの略記である。本例では、変調部１１３は、変調後のデータとして変調シンボルを出力する。
【００６３】
ＳＦＢＣ部１１４は、変調部１１３により出力される変調シンボルに対してＳＦＢＣを行なう。本例では、ＳＦＢＣ部１１４は、２つの変調シンボル毎に、当該２つの変調シンボルに対応する、１つのＳＦＢＣペアを生成する。ＳＦＢＣペアは、Ａｌａｍｏｕｔｉ符号化された一対の符号化信号の一例である。
【００６４】
例えば、ＳＦＢＣ部１１４は、第１の変調シンボルｘ０及び第２の変調シンボルｘ１に対して、第１の符号化信号と第２の符号化信号とをＳＦＢＣペアとして生成する。第１の符号化信号は、０番目の送信アンテナから送信される第１の送信シンボルｘ０と、１番目の送信アンテナから送信される第２の送信シンボル−ｘ１＊と、を含む。ここで、Ｘ＊は、Ｘの複素共役を表す。第２の符号化信号は、０番目の送信アンテナから送信される第３の送信シンボルｘ１と、１番目の送信アンテナから送信される第４の送信シンボルｘ０＊と、を含む。
【００６５】
ＣＲＳ生成部１１５は、セルを識別可能な参照信号（ＣＲＳ）を生成する。ＣＲＳは、既知の参照信号の一例である。本例では、基地局１０及び移動局２０のそれぞれは、参照信号を予め知っている。例えば、基地局１０及び移動局２０のそれぞれは、参照信号を予め保持してもよく、参照信号を生成可能であってもよい。
【００６６】
チャネル多重部１１６は、移動局２０を宛先とするデータと、参照信号と、を多重する。本例では、チャネル多重部１１６は、ＳＦＢＣ部１１４により生成されたＳＦＢＣペアと、ＣＲＳ生成部１１５により生成されたＣＲＳと、を多重する。
【００６７】
ＳＦＢＣペア及びＣＲＳの多重方法について説明する。図７は、ＬＴＥ方式に従ったダウンリンクにおける無線リソースの割り当ての一例を示す。図７においては、Ｎｏｒｍａｌ  ＣＰが用いられるとともに送信アンテナの数が２である場合が想定される。なお、無線リソースの割り当ては、図７と異なっていてもよい。
【００６８】
無線リソースは、時間及び周波数により識別される。ＯＦＤＭにおける１つのサブキャリアの、１つのＯＦＤＭシンボルの時間に対応する無線リソースは、リソースエレメント（ＲＥ；Ｒｅｓｏｕｒｃｅ  Ｅｌｅｍｅｎｔ）と呼ばれる。換言すると、無線リソースは、時間及び周波数の組み合わせが互いに異なる複数のＲＥを含む。本例では、時間軸に沿って連続する７個のＲＥに対応する期間は、スロットと呼ばれる。また、時間軸に沿って連続する２つのスロットは、１つのサブフレームを形成する。
【００６９】
本例では、時間軸において１つのスロットに含まれるＲＥのうちの、周波数軸に沿って連続する１２個のサブキャリアに対応するＲＥは、リソースブロック（ＲＢ；Ｒｅｓｏｕｒｃｅ  Ｂｌｏｃｋ）と呼ばれる。従って、本例では、１つのＲＢは、８４（＝１２×７）個のＲＥからなる。
【００７０】
図７に示すように、０番目及び６番目のサブキャリアのＲＥのうちの、０番目のシンボル時間のＲＥが、０番目の送信アンテナにより送信されるＣＲＳに割り当てられる。ｌ番目のシンボル時間は、時間軸に沿ってｌ番目のＯＦＤＭシンボルに対応する時間である。３番目及び９番目のサブキャリアのＲＥのうちの、０番目のシンボル時間のＲＥが、１番目の送信アンテナにより送信されるＣＲＳに割り当てられる。
【００７１】
また、０番目及び６番目のサブキャリアのＲＥのうちの、４番目のシンボル時間のＲＥが、１番目の送信アンテナにより送信されるＣＲＳに割り当てられる。３番目及び９番目のサブキャリアのＲＥのうちの、４番目のシンボル時間のＲＥが、０番目の送信アンテナにより送信されるＣＲＳに割り当てられる。
【００７２】
また、サブフレームの先頭の０番目から３番目までのシンボル時間のＲＥのうちの、ＣＲＳに割り当てられたＲＥと異なるＲＥが、ＰＤＣＣＨに割り当てられる。ＰＤＣＣＨは、Ｐｈｙｓｉｃａｌ  Ｄｏｗｎｌｉｎｋ  Ｃｏｎｔｒｏｌ  Ｃｈａｎｎｅｌの略記である。ＰＤＣＣＨは、制御チャネルの一例である。制御チャネルは、制御情報を伝達するためのチャネルである。
【００７３】
図７に示す２つのＲＢに含まれるＲＥのうちの、ＰＤＣＣＨ及びＣＲＳに割り当てられたＲＥと異なるＲＥが、ＰＤＳＣＨに割り当てられる。ＰＤＳＣＨは、Ｐｈｙｓｉｃａｌ  Ｄｏｗｎｌｉｎｋ  Ｓｈａｒｅｄ  Ｃｈａｎｎｅｌの略記である。ＰＤＳＣＨは、データチャネルの一例である。データチャネルは、移動局２０を宛先とするデータを伝達するためのチャネルである。
【００７４】
ＣＲＳに割り当てられるＲＥと同じシンボル時間のＲＥ群は、ＣＲＳシンボルとも表される。また、ＣＲＳに割り当てられるＲＥと異なるシンボル時間のＲＥ群は、データシンボルとも表される。
【００７５】
次に、ＳＦＢＣペアに対する無線リソースの割り当てについて説明する。
図８及び図９は、複数のＳＦＢＣペアに対して１つのＲＢが割り当てられるとともに、４番目のシンボル時間のＲＥからＳＦＢＣペアに対する無線リソースの割り当てを開始する例を示す。図８及び図９は、０番目及び１番目の送信アンテナに対する無線リソースの割り当ての一例をそれぞれ示す。なお、無線リソースの割り当ては、図８及び図９と異なっていてもよい。
【００７６】
本例では、ＳＦＢＣペアには、ＰＤＳＣＨに割り当てられたＲＥが、周波数軸に沿って順に割り当てられる。本例では、周波数軸に沿って連続する２つのＲＥに、周波数が高くなる順に、ｍ番目のＳＦＢＣペアの第１の符号化信号に含まれる送信シンボル、及び、ｍ番目のＳＦＢＣペアの第２の符号化信号に含まれる送信シンボルが割り当てられる。
【００７７】
例えば、４番目のシンボル時間のＲＥのうちの、１番目のサブキャリアのＲＥに、０番目の送信アンテナに対して、０番目のＳＦＢＣペアの第１の符号化信号に含まれる送信シンボルｘ０（０）が割り当てられる。更に、このＲＥに、１番目の送信アンテナに対して、０番目のＳＦＢＣペアの第１の符号化信号に含まれる送信シンボル−ｘ１＊（０）が割り当てられる。
【００７８】
加えて、４番目のシンボル時間のＲＥのうちの、２番目のサブキャリアのＲＥに、０番目の送信アンテナに対して、０番目のＳＦＢＣペアの第２の符号化信号に含まれる送信シンボルｘ１（０）が割り当てられる。更に、このＲＥに、１番目の送信アンテナに対して、０番目のＳＦＢＣペアの第２の符号化信号に含まれる送信シンボルｘ０＊（０）が割り当てられる。
【００７９】
このようにして、０番目及び１番目の送信アンテナのそれぞれに対して、Ｍ個のＳＦＢＣペアには、２Ｍ個のＲＥが割り当てられる。Ｍは、１以上の整数を表す。
【００８０】
図６のＩＦＦＴ部１１７は、チャネル多重部１１６による多重後の信号に対して、逆高速フーリエ変換（ＩＦＦＴ）を行なう。
ＣＰ付加部１１８は、ＩＦＦＴ部１１７によるＩＦＦＴ後の信号にＣＰを付加することにより、ＯＦＤＭシンボルを生成する。
【００８１】
無線処理部１０４は、ダウンリンク送信部１０３により出力された信号に対して、Ｄ／Ａ変換を行なう。Ｄ／Ａは、Ｄｉｇｉｔａｌ  ｔｏ  Ａｎａｌｏｇの略記である。無線処理部１０４は、Ｄ／Ａ変換後の信号に対して、基底帯域から無線周波数帯域への周波数変換（ここでは、アップコンバージョン）を行なう。無線処理部１０４は、周波数変換後の信号を、アンテナ１６−１及び１６−２を介して送信する。アンテナ１６−１は、０番目の送信アンテナの一例である。アンテナ１６−２は、１番目の送信アンテナの一例である。
なお、無線処理部１０１及び無線処理部１０４は、複数のアンテナ１６−１，…，１６−Ｐの少なくとも１つを共用してもよい。
【００８２】
（機能：移動局）
図１０に示すように、移動局２０−ｊのＬＳＩ２３及び無線処理回路２４の機能は、例示的に、アップリンク送信部２０１と、無線処理部２０２と、無線処理部２０３と、ダウンリンク受信部２０４と、を含む。無線処理部２０３は、受信部の一例である。ダウンリンク受信部２０４は、処理部の一例である。
【００８３】
アップリンク送信部２０１は、基地局１０を宛先とするデータを生成し、生成したデータに対して誤り訂正符号化を行ない、符号化後のデータに対して変調を行なう。
【００８４】
無線処理部２０２は、アップリンク送信部２０１による変調後の信号に対して、Ｄ／Ａ変換を行なう。無線処理部２０２は、Ｄ／Ａ変換後の信号に対して、基底帯域から無線周波数帯域への周波数変換（ここでは、アップコンバージョン）を行なう。無線処理部２０２は、周波数変換後の信号を、アンテナ２５−３を介して送信する。なお、無線処理部２０２は、複数のアンテナ２５−１，…，２５−Ｑを介して無線信号を送信してもよい。
このようにして、アップリンク送信部２０１及び無線処理部２０２は、アップリンク信号を基地局１０へ送信する。
【００８５】
本例では、無線処理部２０３は、２つのアンテナ２５−１及び２５−２を介して無線信号を受信する。なお、無線処理部２０３は、３つ以上のアンテナ２５−１，…，２５−Ｑを介して無線信号を受信してもよい。アンテナ２５−１は、０番目の受信アンテナ又は第１のアンテナの一例である。アンテナ２５−２は、１番目の受信アンテナ又は第２のアンテナの一例である。
また、無線処理部２０２及び無線処理部２０３は、複数のアンテナ２５−１，…，２５−Ｑの少なくとも１つを共用してもよい。
【００８６】
無線処理部２０３は、アンテナ２５−１及び２５−２を介して受信した無線信号に対して、無線周波数帯域から基底帯域への周波数変換（ここでは、ダウンコンバージョン）を行なう。無線処理部２０３は、周波数変換後の信号に対して、Ａ／Ｄ変換を行なう。
【００８７】
ダウンリンク受信部２０４は、無線処理部２０３により出力された信号を処理する。この処理は、例えば、復調、及び、誤り訂正復号を含む。
ダウンリンク受信部２０４は、例示的に、ＣＰ除去部２１１と、ＦＦＴ部２１２と、デマッピング部２１３と、復調部２１４と、誤り訂正復号部２１５と、を含む。ＦＦＴは、Ｆａｓｔ  Ｆｏｕｒｉｅｒ  Ｔｒａｎｓｆｏｒｍの略記である。
【００８８】
ＣＰ除去部２１１は、無線処理部２０３により出力された信号からＣＰを除去する。ＦＦＴ部２１２は、ＣＰの除去後の信号に対して高速フーリエ変換（ＦＦＴ）を行なう。デマッピング部２１３は、ＦＦＴ部２１２によるＦＦＴ後の信号に対してデマッピングを行なう。例えば、デマッピングは、ＦＦＴ後の信号に含まれる、チャネル毎、又は、ＲＥ毎の成分を取り出す処理を含んでよい。
【００８９】
復調部２１４は、デマッピング部２１３によるデマッピング後の信号に対して復調を行なう。復調部２１４に入力される信号は、受信信号の一例である。復調部２１４の詳細については後述する。誤り訂正復号部２１５は、復調部２１４による復調後の信号に対して誤り訂正復号を行なう。
これにより、ダウンリンク受信部２０４は、基地局１０により送信されたデータを再生する。
【００９０】
ここで、復調部２１４の詳細について説明を加える。
図１１に示すように、復調部２１４は、例示的に、チャネル推定部２２１と、干渉雑音共分散行列算出部２２２と、ウェイト算出部２２３と、等化部２２４と、等化後干渉雑音電力推定部２２５と、ＬＬＲ算出部２２６と、を含む。ＬＬＲは、Ｌｏｇ  Ｌｉｋｅｌｉｈｏｏｄ  Ｒａｔｉｏの略記である。
【００９１】
チャネル推定部２２１は、ＣＲＳを用いることによりチャネル推定を行なう。ｋ番目のサブキャリアのＲＥのうちの、ｌ番目のシンボル時間のＲＥに対するチャネル行列の推定値Ｈｅ，０（ｋ，ｌ）は、数式３１により表される。チャネル行列の推定値は、チャネル推定値とも表される。
【数３１】
2015201804.tif 000033
【００９２】
ここで、ｈｅ，ｕｖ（ｋ，ｌ）は、ｕ番目の送信アンテナとｖ番目の受信アンテナとの間のチャネルの推定値を表す。ｕ及びｖのそれぞれは、０又は１を表す。
【００９３】
干渉雑音共分散行列算出部２２２は、干渉雑音に対する共分散行列Ｒｅ，Ｉ＋Ｎ（ＳＦＢＣ）（κ０（ｍ）、τ０（ｍ））を、数式３２に基づいて算出する。干渉雑音は、干渉波及び雑音を含む。干渉雑音は、受信信号のうちの、希望波信号に起因する成分と異なる成分である。本例では、希望波信号は、サービングセルにおいて送信される無線信号である。干渉雑音は、受信信号のうちの非希望波信号成分の一例である。
【００９４】
ここで、κ０（ｍ）及びτ０（ｍ）は、ｍ番目のＳＦＢＣペアの第１の符号化信号が割り当てられるＲＥの、サブキャリアの番号及びシンボル時間の番号をそれぞれ表す。上述したように、本例では、ｍ番目のＳＦＢＣペアの第１の符号化信号は、０番目の送信アンテナに対するｘ０（ｍ）と、１番目の送信アンテナに対する−ｘ１＊（ｍ）と、である。
【数３２】
2015201804.tif 000034
【００９５】
ここで、Ｒｅ，Ｉ＋Ｎ、及び、Ｒｅ，Ｉ＋ＮＴは、対角ブロック行列を表す。ここで、行列ＸＴは、行列Ｘの転置行列を表す。本例では、対角ブロック行列は、共分散行列のうちの、対角成分を含むブロック行列である。また、共分散行列Ｒｅ，Ｉ＋Ｎ（ＳＦＢＣ）（κ０（ｍ）、τ０（ｍ））のうちの、対角ブロック行列と異なる部分は、非対角ブロック行列と呼ばれる。本例では、非対角ブロック行列は、共分散行列のうちの、対角成分を含まないブロック行列である。
【００９６】
本例では、干渉雑音共分散行列算出部２２２は、対角ブロック行列を推定する対角ブロック行列推定部２２２１と、非対角ブロック行列を推定する非対角ブロック行列推定部２２２２と、を含む。
【００９７】
対角ブロック行列推定部２２２１は、復調部２１４に入力された受信信号ｙと、チャネル推定部２２１により推定されたチャネル推定値Ｈｅ，０と、数式３３と、に基づいて対角ブロック行列Ｒｅ，Ｉ＋Ｎを推定する。
【数３３】
2015201804.tif 000035
【００９８】
ここで、ｘＲＳ（ｋ，ｌ）は、参照信号（本例では、ＣＲＳ）を表す。本例では、参照信号ｘＲＳ（ｋ，ｌ）は、移動局２０−ｊにより予め保持される。
ｋ及びｌは、所定の対象範囲を形成するＲＥ群に含まれるＲＥの、サブキャリアの番号及びシンボル時間の番号をそれぞれ表す。
本例では、対象範囲は、１つのＲＢに含まれるＲＥのうちの、ＣＲＳが割り当てられたＲＥ群である。本例では、対角ブロック行列推定部２２２１は、ＲＢ毎に対角ブロック行列を推定する。
【００９９】
なお、対角ブロック行列における第１の対角成分は、０番目の受信アンテナにより受信される一対の符号化信号の一方に対する干渉雑音の分散を表す。また、対角ブロック行列における第２の対角成分は、１番目の受信アンテナにより受信される一対の符号化信号の一方に対する干渉雑音の分散を表す。例えば、共分散行列の１行１列目の要素は、０番目の受信アンテナにより受信される一対の符号化信号の第１の符号化信号に対する干渉雑音の分散を表す。また、例えば、共分散行列の２行２列目の要素は、１番目の受信アンテナにより受信される一対の符号化信号の第１の符号化信号に対する干渉雑音の分散を表す。
【０１００】
なお、対角ブロック行列推定部２２２１は、複数のＲＢに含まれるＲＥのうちの、ＣＲＳが割り当てられたＲＥ群を対象範囲として用いてもよい。また、対角ブロック行列推定部２２２１は、システム帯域の全体に含まれるＲＥのうちの、ＣＲＳが割り当てられたＲＥ群を対象範囲として用いてもよい。対角ブロック行列推定部２２２１は、任意の対象範囲を用いてよい。また、対角ブロック行列推定部２２２１は、ドップラー周波数、又は、遅延スプレッド等の通信の状態を表す情報に基づいて対象範囲を適応的に変更してもよい。
【０１０１】
本例では、対角ブロック行列推定部２２２１は、ｋ及びｌの組のそれぞれに対して、チャネル推定値Ｈｅ，０（ｋ，ｌ）と参照信号ｘＲＳ（ｋ，ｌ）との積であるレプリカ信号Ｈｅ，０（ｋ，ｌ）ｘＲＳ（ｋ，ｌ）を算出する。更に、対角ブロック行列推定部２２２１は、ｋ及びｌの組のそれぞれに対して、レプリカ信号Ｈｅ，０（ｋ，ｌ）ｘＲＳ（ｋ，ｌ）を受信信号ｙ（ｋ，ｌ）から減じた信号と、その信号のエルミート共役と、の積を算出する。加えて、対角ブロック行列推定部２２２１は、算出した積を対象範囲に亘って平均することにより、対角ブロック行列を推定する。
【０１０２】
なお、レプリカ信号Ｈｅ，０（ｋ，ｌ）ｘＲＳ（ｋ，ｌ）は、受信信号ｙ（ｋ，ｌ）のうちの、サービングセルにおける参照信号ｘＲＳ（ｋ，ｌ）に起因する成分の推定値であってよい。
【０１０３】
本例では、対角ブロック行列推定部２２２１は、レプリカ信号Ｈｅ，０（ｋ，ｌ）ｘＲＳ（ｋ，ｌ）を受信信号ｙ（ｋ，ｌ）から減じた信号に基づいて、対角ブロック行列を推定する。これによれば、対角ブロック行列を高い精度にて推定できる。
【０１０４】
非対角ブロック行列推定部２２２２は、復調部２１４に入力された受信信号ｙと、チャネル推定部２２１により推定されたチャネル推定値Ｈｅ，０と、数式３４及び数式３５と、に基づいて非対角ブロック行列を推定する。
【数３４】
2015201804.tif 000036
【数３５】
2015201804.tif 000037
【０１０５】
ここで、ｙ０及びｙ１は、０番目及び１番目の受信アンテナにより受信された受信信号を表す。
２ｑ及びｌは、所定の対象範囲を形成するＲＥ群に含まれるＲＥの、サブキャリアの番号及びシンボル時間の番号をそれぞれ表す。同様に、２ｑ＋１及びｌは、上記対象範囲を形成するＲＥ群に含まれるＲＥの、サブキャリアの番号及びシンボル時間の番号をそれぞれ表す。
本例では、対象範囲は、１つのＲＢに含まれるＲＥのうちの、データシンボルにおいて第１の符号化信号及び第２の符号化信号が割り当てられたＲＥ群である。本例では、非対角ブロック行列推定部２２２２は、ＲＢ毎に非対角ブロック行列を推定する。
【０１０６】
上述したように、データシンボルは、ＣＲＳに割り当てられるＲＥと異なるシンボル時間のＲＥ群である。従って、本例では、非対角ブロック行列の推定は、ＣＲＳが送信される時間と異なる時間にて送信されたＳＦＢＣペアに対する受信信号に基づいて行なわれる。
【０１０７】
また、本例では、基地局１０−１及び基地局１０−２は、サブフレームが開始するタイミングを同期する。従って、基地局１０−１が形成する無線エリアＷＡ−１においてＣＲＳが送信されるタイミングと、基地局１０−２が形成する無線エリアＷＡ−２においてＣＲＳが送信されるタイミングと、が同期する。換言すると、無線エリアＷＡ−１においてデータシンボルが送信されるタイミングと、無線エリアＷＡ−２においてデータシンボルが送信されるタイミングと、が同期する。従って、本例では、データシンボルは、無線エリアＷＡ−１及び無線エリアＷＡ−２の両方においてＳＦＢＣペアが割り当てられるＲＥ群である。
【０１０８】
なお、非対角ブロック行列推定部２２２２は、複数のＲＢに含まれるＲＥのうちの、データシンボルにおいて第１の符号化信号及び第２の符号化信号が割り当てられたＲＥ群を対象範囲として用いてもよい。また、非対角ブロック行列推定部２２２２は、システム帯域の全体に含まれるＲＥのうちの、データシンボルにおいて第１の符号化信号及び第２の符号化信号が割り当てられたＲＥ群を対象範囲として用いてもよい。非対角ブロック行列推定部２２２２は、任意の対象範囲を用いてよい。また、非対角ブロック行列推定部２２２２は、ドップラー周波数、又は、遅延スプレッド等の通信の状態を表す情報に基づいて対象範囲を適応的に変更してもよい。
【０１０９】
また、非対角ブロック行列推定部２２２２は、フェージングによる時間変動又はマルチパスによる周波数選択性を考慮して対象範囲を決定してよい。この場合、例えば、非対角ブロック行列推定部２２２２は、１つのＲＢよりも狭い範囲に含まれるＲＥのうちの、データシンボルにおいて第１の符号化信号及び第２の符号化信号が割り当てられたＲＥ群を対象範囲として用いてよい。
【０１１０】
なお、非対角ブロック行列における非対角成分は、０番目の受信アンテナにより受信される一対の符号化信号の一方に対する干渉雑音と、１番目の受信アンテナにより受信される一対の符号化信号の他方に対する干渉雑音と、の共分散を表す。例えば、共分散行列の１行４列目の要素は、０番目の受信アンテナにより受信される一対の符号化信号の第１の符号化信号に対する干渉雑音と、１番目の受信アンテナにより受信される一対の符号化信号の第２の符号化信号に対する干渉雑音と、の共分散を表す。例えば、共分散行列の２行３列目の要素は、１番目の受信アンテナにより受信される一対の符号化信号の第１の符号化信号に対する干渉雑音と、０番目の受信アンテナにより受信される一対の符号化信号の第２の符号化信号に対する干渉雑音と、の共分散を表す。
共分散は、相関の一例である。
【０１１１】
ウェイト算出部２２３は、干渉雑音共分散行列算出部２２２により算出された共分散行列Ｒｅ，Ｉ＋Ｎ（ＳＦＢＣ）と、チャネル推定部２２１により推定されたチャネル推定値Ｈｅ，０と、数式３６と、に基づいて受信ウェイトＷＩＲＣ（ＳＦＢＣ）を算出する。ＷＩＲＣ（ＳＦＢＣ）（ｍ）は、ｍ番目のＳＦＢＣペアに対する受信ウェイトを表す。
【数３６】
2015201804.tif 000038
【０１１２】
ここで、κ１（ｍ）及びτ１（ｍ）は、ｍ番目のＳＦＢＣペアの第２の符号化信号が割り当てられるＲＥの、サブキャリアの番号及びシンボル時間の番号をそれぞれ表す。上述したように、本例では、ｍ番目のＳＦＢＣペアの第２の符号化信号は、０番目の送信アンテナに対するｘ１（ｍ）と、１番目の送信アンテナに対するｘ０＊（ｍ）と、である。
また、Ｈｅ，１（ｋ，ｌ）は、数式３７により表される。
【数３７】
2015201804.tif 000039
【０１１３】
等化部２２４は、ウェイト算出部２２３により算出された受信ウェイトＷＩＲＣ（ＳＦＢＣ）（ｍ）と、ｍ番目のＳＦＢＣペアに対する受信信号ｙ（ｍ）と、数式３８及び数式３９と、に基づいて、ｍ番目のＳＦＢＣペアに対する復調信号ｘｅ（ｍ）を算出する。受信信号ｙ（ｍ）と受信ウェイトＷＩＲＣ（ＳＦＢＣ）（ｍ）との乗算は、受信信号ｙ（ｍ）の等化、又は、受信信号ｙ（ｍ）の復調とも表される。
【数３８】
2015201804.tif 000040
【数３９】
2015201804.tif 000041
【０１１４】
等化後干渉雑音電力推定部２２５は、算出された共分散行列Ｒｅ，Ｉ＋Ｎ（ＳＦＢＣ）と、算出された受信ウェイトＷＩＲＣ（ＳＦＢＣ）と、数式４０と、に基づいて、ｍ番目のＳＦＢＣペアに対する等化後干渉雑音電力σｐｏｓｔ２（ｍ）を推定する。等化後干渉雑音電力は、受信信号の復調後の信号における干渉雑音の電力を表す。
【数４０】
2015201804.tif 000042
【０１１５】
ＬＬＲ算出部２２６は、等化部２２４により算出された復調信号ｘｅ（ｍ）と、等化後干渉雑音電力推定部２２５により推定された等化後干渉雑音電力σｐｏｓｔ２（ｍ）と、に基づいて、軟判定復号用のＬＬＲを算出する。例えば、ＬＬＲ算出部２２６は、特許第５３２６９７６号公報に記載された方法を用いることにより、ＬＬＲの算出を行なってよい。
【０１１６】
（動作）
次に、無線通信システム１の動作について説明する。ここでは、無線通信システム１の動作のうちの、移動局２０−１における復調に係る部分について説明する。
【０１１７】
移動局２０−１は、図１２にフローチャートにより示す処理を実行する。
本例では、移動局２０−１は、受信した無線信号に基づいてチャネル推定を実行する（図１２のステップＳ１０１）。本例では、移動局２０−１は、無線エリアＷＡ−１において基地局１０−１により送信されたＣＲＳに基づいて、無線エリアＷＡ−１においてＣＲＳに割り当てられたＲＥに対するチャネルを推定する。
【０１１８】
移動局２０−１は、推定されたチャネルと、無線エリアＷＡ−１においてＣＲＳに割り当てられたＲＥに対する受信信号と、に基づいて、干渉雑音に対する共分散行列における対角ブロック行列を推定する（図１２のステップＳ１０２）。この干渉雑音は、無線エリアＷＡ−１において基地局１０−１により送信されるＳＦＢＣペアに対する干渉雑音である。本例では、この干渉雑音は、雑音と、無線エリアＷＡ−２において基地局１０−２により送信されるとともに移動局２０−１により受信される無線信号である干渉波と、を含む。
【０１１９】
移動局２０−１は、推定されたチャネルと、無線エリアＷＡ−１においてデータシンボルに割り当てられたＲＥに対する受信信号と、に基づいて、干渉雑音に対する共分散行列における非対角ブロック行列を推定する（図１２のステップＳ１０３）。なお、図１２の処理において、ステップＳ１０３の処理がステップＳ１０２の処理よりも先に実行されてもよい。
【０１２０】
移動局２０−１は、推定されたチャネルと、推定された対角ブロック行列と、推定された非対角ブロック行列と、に基づいて、受信ウェイトを算出する（図１２のステップＳ１０４）。
移動局２０−１は、算出された受信ウェイトと、受信信号と、に基づいて、受信信号を等化する（図１２のステップＳ１０５）。
【０１２１】
移動局２０−１は、推定された対角ブロック行列と、推定された非対角ブロック行列と、算出された受信ウェイトと、に基づいて、等化後干渉雑音電力を推定する（図１２のステップＳ１０６）。なお、図１２の処理において、ステップＳ１０６の処理がステップＳ１０５の処理よりも先に実行されてもよい。
移動局２０−１は、等化後の受信信号と、推定された等化後干渉雑音電力と、に基づいて、軟判定復号用のＬＬＲを算出する（図１２のステップＳ１０７）。
【０１２２】
以上、説明したように、第１実施形態に係る移動局２０は、第１のアンテナにより受信されるＳＦＢＣペアの一方に対する干渉雑音と、第２のアンテナにより受信されるＳＦＢＣペアの他方に対する干渉雑音と、の相関を推定する。更に、移動局２０は、受信された無線信号である受信信号を、推定した相関に基づいて処理する。
【０１２３】
これによれば、相関を推定しない場合よりも、受信信号の処理に、実際の通信の状態を高い精度にて反映することができる。従って、例えば、受信信号を適切に復調することができる。その結果、無線通信品質を高めることができる。
【０１２４】
ところで、ＣＲＳシンボルにおいては、無線エリアＷＡ−１にてＣＲＳに割り当てられたＲＥに、無線エリアＷＡ−２にてＳＦＢＣペアの一方が割り当てられることがある。この場合、更に、無線エリアＷＡ−１にてＣＲＳに割り当てられたＲＥと異なるＲＥに、無線エリアＷＡ−２にてＳＦＢＣペアの他方が割り当てられることがある。
【０１２５】
従って、無線エリアＷＡ−２においてＳＦＢＣペアに割り当てられるＲＥに、無線エリアＷＡ−１において、ＣＲＳと異なる信号と、ＣＲＳと、がそれぞれ割り当てられる。このため、無線エリアＷＡ−２において送信されたＳＦＢＣペアに対する受信信号に基づいて、上記相関を十分に高い精度にて推定することは困難である。
【０１２６】
これに対し、第１実施形態に係る移動局２０は、既知の参照信号が送信される時間と異なる時間にて送信されたＳＦＢＣペアに対する受信信号（本例では、データシンボルに対する受信信号）に基づいて上記相関を推定する。
【０１２７】
従って、無線エリアＷＡ−２においてＳＦＢＣペアに割り当てられるＲＥのそれぞれに、無線エリアＷＡ−１にてＣＲＳと異なる信号（本例では、ＳＦＢＣペア）が割り当てられる。このため、上記相関を十分に高い精度にて推定することができる。その結果、無線通信品質を高めることができる。
【０１２８】
加えて、第１実施形態に係る移動局２０は、無線エリアＷＡ−１と、無線エリアＷＡ−２と、の両方において、ＳＦＢＣペアが割り当てられるＲＥに対する受信信号に基づいて上記相関を推定する。
【０１２９】
これによれば、無線エリアＷＡ−２においてＳＦＢＣペアに割り当てられるＲＥに、無線エリアＷＡ−１においてＳＦＢＣペアがそれぞれ割り当てられる。従って、上記相関を十分に高い精度にて推定することができる。その結果、無線通信品質を高めることができる。
【０１３０】
更に、第１実施形態に係る移動局２０は、推定した相関に基づいて、受信信号における干渉雑音に対する共分散行列を推定し、推定した共分散行列に基づいて受信信号を処理する。
【０１３１】
これによれば、共分散行列を高い精度にて推定することができる。この結果、例えば、受信信号を適切に復調することができる。また、例えば、等化後干渉雑音電力を高い精度にて推定することができる。その結果、無線通信品質を高めることができる。
【０１３２】
＜第２実施形態＞
次に、第２実施形態に係る無線通信システムについて説明する。第２実施形態に係る無線通信システムは、第１実施形態に係る無線通信システムに対して、受信信号に対する共分散行列に基づいて受信ウェイトを算出する点において相違している。以下、かかる相違点を中心として説明する。
【０１３３】
図１３に示すように、第２実施形態に係る復調部２１４Ａは、第１及び第２の相違点を除いて、第１実施形態に係る復調部２１４と同様の機能を有する。第１の相違点は、復調部２１４Ａが、図１１の干渉雑音共分散行列算出部２２２に代えて共分散行列算出部２２２Ａを備える点である。第２の相違点は、復調部２１４Ａが、図１１のウェイト算出部２２３に代えてウェイト算出部２２３Ａを備える点である。
【０１３４】
共分散行列算出部２２２Ａは、第１実施形態に係る干渉雑音共分散行列算出部２２２の機能に加えて、受信信号に対する共分散行列を算出する。本例では、共分散行列算出部２２２Ａは、受信信号に対する共分散行列Ｒｅ，ｙｙ（ＳＦＢＣ）（ｍ）を、推定された対角ブロック行列と、推定された非対角ブロック行列と、数式４１と、に基づいて算出する。
【数４１】
2015201804.tif 000043
【０１３５】
なお、共分散行列算出部２２２Ａは、受信信号に対する共分散行列Ｒｅ，ｙｙ（ＳＦＢＣ）（ｍ）を、数式４１に代えて数式４２に基づいて算出してもよい。
【数４２】
2015201804.tif 000044
【０１３６】
また、共分散行列算出部２２２Ａは、受信信号に対する共分散行列Ｒｅ，ｙｙ（ＳＦＢＣ）（ｍ）を、数式４１に代えて数式４３に基づいて算出してもよい。ここで、λ０及びλ１は、数式４４及び数式４５によりそれぞれ表される。
【数４３】
2015201804.tif 000045
【数４４】
2015201804.tif 000046
【数４５】
2015201804.tif 000047
【０１３７】
ウェイト算出部２２３Ａは、算出された、受信信号に対する共分散行列Ｒｅ，ｙｙ（ＳＦＢＣ）（ｍ）と、推定されたチャネル推定値Ｈｅ，０と、数式４６と、に基づいて受信ウェイトＷＩＲＣ（ＳＦＢＣ）を算出する。
【数４６】
2015201804.tif 000048
【０１３８】
第２実施形態に係る移動局２０は、第１実施形態に係る移動局２０と同様に動作する。これにより、第２実施形態に係る移動局２０は、第１実施形態に係る移動局２０と同様の作用及び効果を奏することができる。
【０１３９】
＜第３実施形態＞
次に、第３実施形態に係る無線通信システムについて説明する。第３実施形態に係る無線通信システムは、第１実施形態に係る無線通信システムに対して、等化後干渉雑音電力を推定する際に非対角ブロック行列を用いない点において相違している。以下、かかる相違点を中心として説明する。
【０１４０】
図１４に示すように、第３実施形態に係る復調部２１４Ｂは、図１１の等化後干渉雑音電力推定部２２５に代えて等化後干渉雑音電力推定部２２５Ｂを備える点を除いて、第１実施形態に係る復調部２１４と同様の機能を有する。
【０１４１】
等化後干渉雑音電力推定部２２５Ｂは、推定された対角ブロック行列Ｒｅ，Ｉ＋Ｎと、算出された受信ウェイトＷＩＲＣ（ＳＦＢＣ）と、数式４７と、に基づいて、ｍ番目のＳＦＢＣペアに対する等化後干渉雑音電力σｐｏｓｔ２（ｍ）を推定する。従って、等化後干渉雑音電力推定部２２５Ｂは、非対角ブロック行列推定部２２２２により推定された非対角ブロック行列を用いずに、等化後干渉雑音電力σｐｏｓｔ２（ｍ）を推定する。
【数４７】
2015201804.tif 000049
【０１４２】
第３実施形態に係る移動局２０は、第１実施形態に係る移動局２０と同様に動作する。これにより、第３実施形態に係る移動局２０は、第１実施形態に係る移動局２０と同様の作用及び効果を奏することができる。
【０１４３】
更に、第３実施形態に係る移動局２０は、算出された受信ウェイトＷＩＲＣ（ＳＦＢＣ）と、受信信号における干渉雑音に対する、非対角ブロック行列が零行列である共分散行列と、に基づいて、等化後干渉雑音電力σｐｏｓｔ２（ｍ）を推定する。
これによれば、等化後干渉雑音電力σｐｏｓｔ２（ｍ）を高い精度にて推定できる。この結果、無線通信品質を高めることができる。
【０１４４】
＜第４実施形態＞
次に、第４実施形態に係る無線通信システムについて説明する。第４実施形態に係る無線通信システムは、第１実施形態に係る無線通信システムに対して、チャネル推定値と対角ブロック行列とに基づいて等化後干渉雑音電力を推定する点において相違している。以下、かかる相違点を中心として説明する。
【０１４５】
図１５に示すように、第４実施形態に係る復調部２１４Ｃは、図１１の等化後干渉雑音電力推定部２２５に代えて等化後干渉雑音電力推定部２２５Ｃを備える点を除いて、第１実施形態に係る復調部２１４と同様の機能を有する。
【０１４６】
等化後干渉雑音電力推定部２２５Ｃは、推定された対角ブロック行列Ｒｅ，Ｉ＋Ｎと、推定されたチャネル推定値Ｈｅ，０と、数式４８と、に基づいて、ｍ番目のＳＦＢＣペアに対する等化後干渉雑音電力σｐｏｓｔ２（ｍ）を推定する。従って、等化後干渉雑音電力推定部２２５Ｃは、非対角ブロック行列及び受信ウェイトＷＩＲＣ（ＳＦＢＣ）を用いずに、等化後干渉雑音電力σｐｏｓｔ２（ｍ）を推定する。
【数４８】
2015201804.tif 000050
【０１４７】
第４実施形態に係る移動局２０は、第１実施形態に係る移動局２０と同様に動作する。これにより、第４実施形態に係る移動局２０は、第１実施形態に係る移動局２０と同様の作用及び効果を奏することができる。
【０１４８】
更に、第４実施形態に係る移動局２０は、推定されたチャネル推定値Ｈｅ，０と、受信信号における干渉雑音に対する、非対角ブロック行列が零行列である共分散行列と、に基づいて、等化後干渉雑音電力σｐｏｓｔ２（ｍ）を推定する。
これによれば、等化後干渉雑音電力σｐｏｓｔ２（ｍ）を高い精度にて推定できる。この結果、無線通信品質を高めることができる。
【０１４９】
＜第５実施形態＞
次に、第５実施形態に係る無線通信システムについて説明する。第５実施形態に係る無線通信システムは、第１実施形態に係る無線通信システムに対して、ＳＦＢＣペアへの無線リソースの割り当て方法において相違している。以下、かかる相違点を中心として説明する。
【０１５０】
上述したように、例えば、ＣＲＳシンボルにおいては、各送信アンテナに対して、ＣＲＳには、周波数軸に沿って５個のＲＥの間隔にてＲＥが割り当てられる。無線エリアＷＡ間で、同一のＲＥがＣＲＳに割り当てられる確率を低減するため、無線エリアＷＡを識別する識別子に応じて、ＣＲＳに割り当てられるＲＥは、周波数軸に沿ってシフトされる。従って、ＣＲＳに割り当てられるＲＥのパターンの数は、６通りである。
【０１５１】
ところで、送信アンテナの数が２つ又は４つの場合、１つのＣＲＳシンボルにおいて、例えば、２つの送信アンテナに対するＣＲＳに無線リソースが割り当てられる。従って、この場合、周波数軸に沿って２個のＲＥの間隔にてＲＥがＣＲＳに割り当てられる。このため、ＣＲＳと異なる信号（例えば、ＳＦＢＣペア）に割り当てられるＲＥのパターンの数は、３通りである。
【０１５２】
ここで、第５実施形態におけるＳＦＢＣペアへの無線リソースの割り当てについて説明する前に、比較例について説明する。
図１６及び図１７は、０番目及び１番目の送信アンテナに対して、ＳＦＢＣペアに割り当てられるＲＥの３つのパターン（パターン＃０〜＃２）の一例をそれぞれ示す。図１６及び図１７において、ハッチングが施された長方形は、ＣＲＳに割り当てられるＲＥを示す。ハッチングが施されていない長方形は、ＳＦＢＣペアに割り当てられるＲＥを示す。
【０１５３】
図１６及び図１７に示す例においては、周波数が連続する６個のＲＥのうちの、周波数が連続する２個のＲＥに周波数軸にて隣接する２個のＲＥのそれぞれにＣＲＳが割り当てられる。例えば、０番目のパターン（パターン＃０）において、ｋ番目からｋ＋５番目までのサブキャリアの６個のＲＥのうちの、ｋ＋１番目及びｋ＋２番目の２個のＲＥに周波数軸にて隣接する、ｋ番目及びｋ＋３番目の２個のＲＥのそれぞれにＣＲＳが割り当てられる。ｋは、０以上の整数を表す。
【０１５４】
更に、図１６及び図１７に示す例においては、上記６個のＲＥのうちの、ＣＲＳが割り当てられる２個のＲＥと異なる４個のＲＥに２個のＳＦＢＣペアが割り当てられる。この４個のＲＥには、周波数が高くなる順に、第１のＳＦＢＣペアの一方、第１のＳＦＢＣペアの他方、第２のＳＦＢＣペアの一方、及び、第２のＳＦＢＣペアの他方が割り当てられる。
【０１５５】
例えば、０番目のパターン（パターン＃０）において、ｋ番目からｋ＋５番目までのサブキャリアの６個のＲＥのうちの、ｋ＋１番目、ｋ＋２番目、ｋ＋４番目、及び、ｋ＋５番目の４個のＲＥに、ｎ番目及びｎ＋１番目の２個のＳＦＢＣペアが割り当てられる。ｎは、０以上の整数を表す。
【０１５６】
ｋ＋１番目のＲＥには、ｎ番目のＳＦＢＣペアの第１の送信シンボルｘ０（ｎ）及び第２の送信シンボル−ｘ１＊（ｎ）が、０番目及び１番目の送信アンテナに対してそれぞれ割り当てられる。ｋ＋２番目のＲＥには、ｎ番目のＳＦＢＣペアの第３の送信シンボルｘ１（ｎ）又は第４の送信シンボルｘ０＊（ｎ）が、０番目及び１番目の送信アンテナに対してそれぞれ割り当てられる。
【０１５７】
ｋ＋４番目のＲＥには、ｎ＋１番目のＳＦＢＣペアの第１の送信シンボルｘ０（ｎ＋１）及び第２の送信シンボル−ｘ１＊（ｎ＋１）が、０番目及び１番目の送信アンテナに対してそれぞれ割り当てられる。ｋ＋５番目のＲＥには、ｎ＋１番目のＳＦＢＣペアの第３の送信シンボルｘ１（ｎ＋１）又は第４の送信シンボルｘ０＊（ｎ＋１）が、０番目及び１番目の送信アンテナに対してそれぞれ割り当てられる。
【０１５８】
これに対し、第５実施形態に係る無線通信システム１においては、図１８及び図１９に例示するように、ＳＦＢＣペアへの無線リソースの割り当てが行なわれる。
図１８及び図１９は、０番目及び１番目の送信アンテナに対して、ＳＦＢＣペアに割り当てられるＲＥの３つのパターン（パターン＃０〜＃２）の一例をそれぞれ示す。図１８及び図１９において、ハッチングが施された長方形は、ＣＲＳに割り当てられるＲＥを示す。ハッチングが施されていない長方形は、ＳＦＢＣペアに割り当てられるＲＥを示す。
【０１５９】
図１８及び図１９に示す例においては、周波数が連続する６個のＲＥのうちの、周波数が連続する２個のＲＥに周波数軸にて隣接する２個のＲＥのそれぞれにＣＲＳが割り当てられる。例えば、０番目のパターン（パターン＃０）において、ｋ番目からｋ＋５番目までのサブキャリアの６個のＲＥのうちの、ｋ＋１番目及びｋ＋２番目の２個のＲＥに周波数軸にて隣接する、ｋ番目及びｋ＋３番目の２個のＲＥのそれぞれにＣＲＳが割り当てられる。
【０１６０】
更に、図１８及び図１９に示す例においては、上記６個のＲＥのうちの、ＣＲＳが割り当てられる２個のＲＥと異なる４個のＲＥに２個のＳＦＢＣペアが割り当てられる。この４個のＲＥには、周波数が高くなる順に、第１のＳＦＢＣペアの一方、第２のＳＦＢＣペアの一方、第１のＳＦＢＣペアの他方、及び、第２のＳＦＢＣペアの他方が割り当てられる。
【０１６１】
例えば、０番目のパターン（パターン＃０）において、ｋ番目からｋ＋５番目までのサブキャリアの６個のＲＥのうちの、ｋ＋１番目、ｋ＋２番目、ｋ＋４番目、及び、ｋ＋５番目の４個のＲＥに、ｎ番目及びｎ＋１番目の２個のＳＦＢＣペアが割り当てられる。
【０１６２】
ｋ＋１番目のＲＥには、ｎ番目のＳＦＢＣペアの第１の送信シンボルｘ０（ｎ）及び第２の送信シンボル−ｘ１＊（ｎ）が、０番目及び１番目の送信アンテナに対してそれぞれ割り当てられる。ｋ＋２番目のＲＥには、ｎ＋１番目のＳＦＢＣペアの第１の送信シンボルｘ０（ｎ＋１）及び第２の送信シンボル−ｘ１＊（ｎ＋１）が、０番目及び１番目の送信アンテナに対してそれぞれ割り当てられる。
【０１６３】
ｋ＋４番目のＲＥには、ｎ番目のＳＦＢＣペアの第３の送信シンボルｘ１（ｎ）又は第４の送信シンボルｘ０＊（ｎ）が、０番目及び１番目の送信アンテナに対してそれぞれ割り当てられる。ｋ＋５番目のＲＥには、ｎ＋１番目のＳＦＢＣペアの第３の送信シンボルｘ１（ｎ＋１）又は第４の送信シンボルｘ０＊（ｎ＋１）が、０番目及び１番目の送信アンテナに対してそれぞれ割り当てられる。
【０１６４】
このようにＳＦＢＣペアに無線リソースを割り当てることによって、第１のパターンにおいて、ＣＲＳに割り当てられるＲＥのうちの周波数軸に沿って連続する２つのＲＥに、第２のパターンにおいて１つのＳＦＢＣペアが割り当てられる。従って、サービングセルと干渉セルとにおいて、互いに異なるパターンが用いられる場合、サービングセルにおいて、ＣＲＳに割り当てられるＲＥのうちの周波数軸に沿って連続する２つのＲＥに、干渉セルにおいて１つのＳＦＢＣペアが割り当てられる。
【０１６５】
例えば、図２０及び図２１に例示するように、サービングセルにおいてパターン＃０が用いられるとともに、干渉セルにおいてパターン＃１が用いられる場合を想定する。この場合、例えば、サービングセルにおいて、ｋ番目及びｋ＋３番目のサブキャリアのＲＥがＣＲＳに割り当てられる。一方、干渉セルにおいて、ｋ番目のサブキャリアのＲＥには、ｎ番目のＳＦＢＣペアの第１の送信シンボルｘ０（ｎ）及び第２の送信シンボル−ｘ１＊（ｎ）が、０番目及び１番目の送信アンテナに対してそれぞれ割り当てられる。更に、干渉セルにおいて、ｋ＋３番目のサブキャリアのＲＥには、ｎ番目のＳＦＢＣペアの第３の送信シンボルｘ１（ｎ）又は第４の送信シンボルｘ０＊（ｎ）が、０番目及び１番目の送信アンテナに対してそれぞれ割り当てられる。
【０１６６】
このように、第５実施形態においては、サービングセルにてＣＲＳが割り当てられる２つのＲＥに、干渉セルにおいて１つのＳＦＢＣペアが割り当てられる。これにより、ＣＲＳを用いることにより、非対角ブロック行列を高い精度にて推定できる。その結果、無線通信品質を高めることができる。
【０１６７】
本例では、第５実施形態に係る基地局１０は、図１８及び図１９に例示される３つのパターンのうちの、いずれか１つのパターンに従って、ＳＦＢＣペアへの無線リソースの割り当てを行なう。例えば、基地局１０−１は、パターン＃０に従って、ＳＦＢＣペアへの無線リソースの割り当てを行ない、且つ、基地局１０−２は、パターン＃１に従って、ＳＦＢＣペアへの無線リソースの割り当てを行なう。
【０１６８】
更に、図２２に示すように、第５実施形態に係る復調部２１４Ｄは、図１１の干渉雑音共分散行列算出部２２２に代えて干渉雑音共分散行列算出部２２２Ｄを備える点を除いて、第１実施形態に係る復調部２１４と同様の機能を有する。
【０１６９】
加えて、図２２に示すように、干渉雑音共分散行列算出部２２２Ｄは、図１１の非対角ブロック行列推定部２２２２に代えて非対角ブロック行列推定部２２２２Ｄを備える点を除いて、第１実施形態に係る干渉雑音共分散行列算出部２２２と同様の機能を有する。
【０１７０】
非対角ブロック行列推定部２２２２Ｄは、上記数式３５に代えて、数式４９を用いることにより、非対角ブロック行列を推定する点を除いて、第１実施形態に係る非対角ブロック行列推定部２２２２と同様の機能を有する。
【数４９】
2015201804.tif 000051
【０１７１】
６ｐ＋ν及びｌは、所定の対象範囲を形成するＲＥ群に含まれるＲＥの、サブキャリアの番号及びシンボル時間の番号をそれぞれ表す。同様に、６ｐ＋３＋ν及びｌは、所定の対象範囲を形成するＲＥ群に含まれるＲＥの、サブキャリアの番号及びシンボル時間の番号をそれぞれ表す。
ｐは、０以上の整数を表し、νは、パターンを識別する番号を表す。本例では、νは、０、１、又は、２を表す。例えば、図２０に示すように、サービングセルにおいてパターン＃０が用いられる場合、νは、０である。また、｛ｖ｝０は、ベクトルｖの０行目の要素を表し、｛ｖ｝１は、ベクトルｖの１行目の要素を表す。
本例では、対象範囲は、１つのＲＢに含まれるＲＥのうちの、サービングセルにてＣＲＳが割り当てられ、且つ、干渉セルにてＳＦＢＣペアの第１の送信シンボルｘ０及び第２の送信シンボル−ｘ１＊が割り当てられるＲＥ群である。
本例では、非対角ブロック行列推定部２２２２Ｄは、ＲＢ毎に非対角ブロック行列を推定する。
【０１７２】
なお、対象範囲は、複数のＲＢに含まれるＲＥのうちの、サービングセルにてＣＲＳが割り当てられ、且つ、干渉セルにてＳＦＢＣペアの第１の送信シンボルｘ０及び第２の送信シンボル−ｘ１＊が割り当てられるＲＥ群であってもよい。
また、対象範囲は、システム帯域の全体に含まれるＲＥのうちの、サービングセルにてＣＲＳが割り当てられ、且つ、干渉セルにてＳＦＢＣペアの第１の送信シンボルｘ０及び第２の送信シンボル−ｘ１＊が割り当てられるＲＥ群であってもよい。
非対角ブロック行列推定部２２２２Ｄは、任意の対象範囲を用いてよい。また、非対角ブロック行列推定部２２２２Ｄは、ドップラー周波数、又は、遅延スプレッド等の通信の状態を表す情報に基づいて対象範囲を適応的に変更してもよい。
【０１７３】
また、非対角ブロック行列推定部２２２２Ｄは、フェージングによる時間変動又はマルチパスによる周波数選択性を考慮して対象範囲を決定してよい。例えば、対象範囲は、１つのＲＢよりも狭い範囲に含まれるＲＥのうちの、サービングセルにてＣＲＳが割り当てられ且つ干渉セルにてＳＦＢＣペアの第１の送信シンボルｘ０及び第２の送信シンボル−ｘ１＊が割り当てられるＲＥ群であってもよい。
【０１７４】
本例では、非対角ブロック行列推定部２２２２Ｄは、ｋ及びｌの組のそれぞれに対して、チャネル推定値Ｈｅ，０（ｋ，ｌ）と参照信号ｘＲＳ（ｋ，ｌ）との積であるレプリカ信号Ｈｅ，０（ｋ，ｌ）ｘＲＳ（ｋ，ｌ）を算出する。ここで、ｋは、２ｐ又は２ｐ＋１を表す。更に、非対角ブロック行列推定部２２２２Ｄは、ｋ及びｌの組のそれぞれに対して、レプリカ信号Ｈｅ，０（ｋ，ｌ）ｘＲＳ（ｋ，ｌ）を受信信号ｙ（ｋ，ｌ）から減じた信号を算出する。本例では、受信信号ｙ（ｋ，ｌ）は、サービングセルにおいてＣＲＳに割り当てられたＲＥに対する受信信号である。加えて、非対角ブロック行列推定部２２２２Ｄは、算出した信号と、上記数式４９と、に基づいて非対角ブロック行列を推定する。
これによれば、非対角ブロック行列を高い精度にて推定できる。
【０１７５】
以上、説明したように、第５実施形態に係る無線通信システム１においては、無線エリアＷＡ−１においてＣＲＳに割り当てられた２つのＲＥに、無線エリアＷＡ−２において１つのＳＦＢＣペアが割り当てられる。更に、移動局２０−１は、無線エリアＷＡ−２にてＳＦＢＣペアに割り当てられたＲＥに対する受信信号に基づいて相関を推定する。この相関は、０番目の受信アンテナにより受信されるＳＦＢＣペアの一方に対する干渉雑音と、１番目の受信アンテナにより受信されるＳＦＢＣペアの他方に対する干渉雑音と、の相関である。
【０１７６】
これによれば、無線エリアＷＡ−１にてＣＲＳが割り当てられる２つのＲＥに、無線エリアＷＡ−２において１つのＳＦＢＣペアが割り当てられる。これにより、ＣＲＳを用いることにより、上記相関を高い精度にて推定できる。その結果、無線通信品質を高めることができる。
【０１７７】
更に、第５実施形態に係る無線通信システム１においては、無線エリアＷＡ−１及びＷＡ−２のそれぞれにおいて、周波数が連続する６個のＲＥのうちの、周波数が連続する２個のＲＥに周波数軸にて隣接する２個のＲＥのそれぞれにＣＲＳが割り当てられる。加えて、無線エリアＷＡ−１及びＷＡ−２のそれぞれにおいて、上記６個のＲＥのうちの、ＣＲＳが割り当てられる２個のＲＥと異なる４個のＲＥに、第１及び第２のＳＦＢＣペアが割り当てられる。具体的には、上記４個のＲＥに、周波数が高くなる順に、第１のＳＦＢＣペアの一方、第２のＳＦＢＣペアの一方、第１のＳＦＢＣペアの他方、及び、第２のＳＦＢＣペアの他方が割り当てられる。
【０１７８】
これによれば、無線エリアＷＡ−１においてＣＲＳが割り当てられる２つのＲＥに、無線エリアＷＡ−２において、ＳＦＢＣペアの一方、及び、ＳＦＢＣペアの他方、が割り当てられる。従って、ＣＲＳを用いることにより、無線エリアＷＡ−２においてＳＦＢＣペアが割り当てられたＲＥに対する受信信号に基づいて上記相関を高い精度にて推定できる。その結果、無線通信品質を高めることができる。
【０１７９】
＜第６実施形態＞
次に、第６実施形態に係る無線通信システムについて説明する。第６実施形態に係る無線通信システムは、第１実施形態に係る無線通信システムに対して、干渉セルにおける無線リソースに対するチャネルに基づいて共分散行列を推定する点において相違している。以下、かかる相違点を中心として説明する。
【０１８０】
図２３に示すように、第６実施形態に係る復調部２１４Ｅは、下記の相違点を除いて、第１実施形態に係る復調部２１４と同様の機能を有する。相違点は、復調部２１４Ｅが、図１１の干渉雑音共分散行列算出部２２２に代えて、干渉雑音共分散行列算出部２２２Ｅと干渉チャネル推定部２２７Ｅと干渉雑音電力推定部２２８Ｅとを備える点である。
【０１８１】
干渉雑音電力推定部２２８Ｅは、干渉雑音電力σＩ＋Ｎ２、及び、干渉セル毎の干渉波電力ＰＩ，１，ＰＩ，２，…，ＰＩ，Ｎｃｅｌｌを推定する。干渉雑音電力は、受信信号における干渉雑音の電力である。干渉波電力は、受信信号のうちの、干渉セルにおいて送信された無線信号に起因する干渉波の電力である。ここで、ＰＩ，ηは、η番目の干渉セルの干渉波電力を表す。ηは、１からＮｃｅｌｌまでの整数を表す。Ｎｃｅｌｌは、干渉セルの数を表す。
【０１８２】
干渉チャネル推定部２２７Ｅは、干渉波電力が所定の閾値電力Ｐｔｈ以上である干渉セルのそれぞれに対して、当該干渉セルにおける基地局１０と移動局２０との間のチャネルを推定する。本例では、干渉チャネル推定部２２７Ｅは、干渉セルにおいて送信されたＣＲＳを用いることによりチャネル推定を行なう。γ番目の干渉セルにおける、ｋ番目のサブキャリアのＲＥのうちの、ｌ番目のシンボル時間のＲＥに対するチャネル行列の推定値Ｇ０，γ（ｋ，ｌ）は、数式５０により表される。
【数５０】
2015201804.tif 000052
【０１８３】
ここで、ｇｕｖ，γ（ｋ，ｌ）は、γ番目の干渉セルにおける、ｕ番目の送信アンテナとｖ番目の受信アンテナとの間のチャネルの推定値を表す。ｕ及びｖのそれぞれは、０又は１を表す。γは、干渉雑音電力推定部２２８Ｅにより推定された干渉波電力ＰＩ，ηが閾値電力Ｐｔｈ以上である干渉セルの番号を表す。
【０１８４】
干渉雑音共分散行列算出部２２２Ｅは、数式５１と、チャネル推定値Ｇ０，γと、干渉雑音電力σＩ＋Ｎ２、及び、干渉セル毎の干渉波電力ＰＩ，１，ＰＩ，２，…，ＰＩ，Ｎｃｅｌｌと、に基づいて、受信信号における干渉雑音に対する共分散行列Ｒｅ，Ｉ＋Ｎ（ＳＦＢＣ）を推定する。ここで、数式５１は、数式５２乃至数式５５に基づいて導出される。Ｇ１，γ（ｋ，ｌ）は、数式５６により表される。
【数５１】
2015201804.tif 000053
【数５２】
2015201804.tif 000054
【数５３】
2015201804.tif 000055
【数５４】
2015201804.tif 000056
【数５５】
2015201804.tif 000057
【数５６】
2015201804.tif 000058
【０１８５】
また、雑音電力σＮ２は、数式５７と、干渉雑音電力σＩ＋Ｎ２、及び、干渉セル毎の干渉波電力ＰＩ，１，ＰＩ，２，…，ＰＩ，Ｎｃｅｌｌと、に基づいて算出される。
【数５７】
2015201804.tif 000059
【０１８６】
なお、干渉雑音共分散行列算出部２２２Ｅは、ＳＦＢＣを行なっている干渉セルに対するチャネル推定値のみに基づいて、共分散行列の非対角ブロック行列を推定してもよい。この場合、例えば、サービングセルを形成する基地局１０は、ＳＦＢＣを行なっている干渉セルを識別する情報を移動局２０へ通知してよい。
例えば、干渉雑音共分散行列算出部２２２Ｅは、数式５１に代えて、数式５８に基づいて、干渉雑音に対する共分散行列Ｒｅ，Ｉ＋Ｎ（ＳＦＢＣ）を推定する。
【数５８】
2015201804.tif 000060
【０１８７】
ここで、γ’は、干渉波電力ＰＩ，ηが閾値電力Ｐｔｈ以上であり、且つ、ＳＦＢＣ実行フラグＦＳＦＢＣが１である干渉セルの番号を表す。ＳＦＢＣ実行フラグは、干渉セルにおいて、ＳＦＢＣを行なっている場合に１であり、ＳＦＢＣを行なっていない場合に０であるフラグである。
【０１８８】
以上、説明したように、第６実施形態に係る移動局２０−１は、ＳＦＢＣペアが送信される無線エリアＷＡ−１と異なる無線エリアＷＡ−２にて送信されるＣＲＳに基づいて、無線エリアＷＡ−２における無線リソースに対するチャネルを推定する。更に、移動局２０−１は、推定したチャネルに基づいて相関を推定する。この相関は、０番目の受信アンテナにより受信されるＳＦＢＣペアの一方に対する干渉雑音と、１番目の受信アンテナにより受信されるＳＦＢＣペアの他方に対する干渉雑音と、の相関である。
【０１８９】
これによれば、上記相関を高い精度にて推定することができる。その結果、無線通信品質を高めることができる。
【０１９０】
なお、上述した実施形態の他の変形例として、上述した実施形態及び変形例の任意の組み合わせが採用されてもよい。
また、上述した実施形態は、送信アンテナ１６の数が２であり、且つ、受信アンテナ２５の数が２である例を示しているが、送信アンテナ１６の数が３以上であってもよく、受信アンテナ２５の数が３以上であってもよい。
【０１９１】
また、上述した実施形態において、Ａｌａｍｏｕｔｉ符号化としてＳＦＢＣを用いているが、時空間ブロック符号化（ＳＴＢＣ）を用いてもよい。ＳＴＢＣは、Ｓｐａｃｅ  Ｔｉｍｅ  Ｂｌｏｃｋ  Ｃｏｄｉｎｇの略記である。
また、上述した実施形態において、既述の装置又は方法は、ダウンリンクの通信に適用されていたが、ダウンリンクの通信に代えて、又は、ダウンリンクの通信に加えて、アップリンクの通信に適用されてもよい。
【符号の説明】
【０１９２】
１      無線通信システム
１０    基地局
１１    プロセッサ
１２    記憶装置
１３    ＮＩＦ回路
１４    ＬＳＩ
１５    無線処理回路
１６    アンテナ
１０１  無線処理部
１０２  アップリンク受信部
１０３  ダウンリンク送信部
１０４  無線処理部
１１１  データ生成部
１１２  誤り訂正符号化部
１１３  変調部
１１４  ＳＦＢＣ部
１１５  ＣＲＳ生成部
１１６  チャネル多重部
１１７  ＩＦＦＴ部
１１８  ＣＰ付加部
２０    移動局
２１    プロセッサ
２２    記憶装置
２３    ＬＳＩ
２４    無線処理回路
２５    アンテナ
２０１  アップリンク送信部
２０２  無線処理部
２０３  無線処理部
２０４  ダウンリンク受信部
２１１  ＣＰ除去部
２１２  ＦＦＴ部
２１３  デマッピング部
２１４〜２１４Ｅ  復調部
２１５  誤り訂正復号部
２２１  チャネル推定部
２２２，２２２Ｄ，２２２Ｅ  干渉雑音共分散行列算出部
２２２Ａ  共分散行列算出部
２２２１  対角ブロック行列推定部
２２２２，２２２２Ｄ  非対角ブロック行列推定部
２２３，２２３Ａ  ウェイト算出部
２２４  等化部
２２５，２２５Ｂ，２２５Ｃ  等化後干渉雑音電力推定部
２２６  ＬＬＲ算出部
２２７Ｅ  干渉チャネル推定部
２２８Ｅ  干渉雑音電力推定部
ＮＷ    通信網
【図１】
2015201804.tif 000061
【図２】
2015201804.tif 000062
【図３】
2015201804.tif 000063
【図４】
2015201804.tif 000064
【図５】
2015201804.tif 000065
【図６】
2015201804.tif 000066
【図７】
2015201804.tif 000067
【図８】
2015201804.tif 000068
【図９】
2015201804.tif 000069
【図１０】
2015201804.tif 000070
【図１１】
2015201804.tif 000071
【図１２】
2015201804.tif 000072
【図１３】
2015201804.tif 000073
【図１４】
2015201804.tif 000074
【図１５】
2015201804.tif 000075
【図１６】
2015201804.tif 000076
【図１７】
2015201804.tif 000077
【図１８】
2015201804.tif 000078
【図１９】
2015201804.tif 000079
【図２０】
2015201804.tif 000080
【図２１】
2015201804.tif 000081
【図２２】
2015201804.tif 000082
【図２３】
2015201804.tif 000083